(57)【要約】  本発明は、モバイル・ネットワークにアクセスするための方法、装置、及びシステムに関する。モバイル・ネットワークにアクセスするための方法は、ユーザ機器ＵＥが無線ローカル・エリア・ネットワークＷＬＡＮにアクセスするためのユーザ識別情報を取得するステップと、ＵＥがＷＬＡＮにアクセスするためのユーザ識別情報にしたがって、ＵＥがＷＬＡＮにアクセスするためのユーザ識別情報に関連付けられた、ＵＥがモバイル・ネットワークにアクセスするためのユーザ識別情報を取得するステップと、ＵＥがモバイル・ネットワークにアクセスすることを可能にするように信頼できる無線アクセス・ゲートウェイＴＷＡＧに命じるために、ＵＥがモバイル・ネットワークにアクセスするためのユーザ識別情報をＴＷＡＧに送信するステップとを含む。ＷＬＡＮ識別情報とモバイル・ユーザ識別情報との間の関連付けによって、ＵＥがモバイル・ネットワークにアクセスするためのユーザ識別情報が認証される可能性があり、それによって、モバイル・ネットワークへのＵＥのアクセスを実施する。
2015525992.tif 000002
【特許請求の範囲】
【請求項１】
ユーザ機器ＵＥが無線ローカル・エリア・ネットワークＷＬＡＮにアクセスするためのユーザ識別情報を取得するステップと、
前記ＵＥが前記ＷＬＡＮにアクセスするための前記ユーザ識別情報にしたがって、前記ＵＥが前記ＷＬＡＮにアクセスするための前記ユーザ識別情報に関連付けられた、前記ＵＥがモバイル・ネットワークにアクセスするためのユーザ識別情報を取得するステップと、
前記ＵＥが前記モバイル・ネットワークにアクセスすることを可能にするように信頼できる無線アクセス・ゲートウェイＴＷＡＧに命じるために、前記ＵＥが前記モバイル・ネットワークにアクセスするための前記ユーザ識別情報を前記ＴＷＡＧに送信するステップとを含む、モバイル・ネットワークにアクセスするための方法。
【請求項２】
前記ＵＥが前記ＷＬＡＮにアクセスするための前記ユーザ識別情報が、ユーザ名又はユーザ名及びパスワードを含み、前記ＵＥが前記モバイル・ネットワークにアクセスするための前記ユーザ識別情報が、移動局識別番号ＭＳＩＳＤＮ及び国際移動体加入者識別番号ＩＭＳＩを含み、
前記ＵＥが前記ＷＬＡＮにアクセスするための前記ユーザ識別情報にしたがって、前記ＵＥが前記ＷＬＡＮにアクセスするための前記ユーザ識別情報に関連付けられた、前記ＵＥがモバイル・ネットワークにアクセスするためのユーザ識別情報を取得する前記ステップが、
前記ユーザ名、前記ユーザ名とＭＳＩＳＤＮとの間の関連付け、及び前記ユーザ名とＩＭＳＩとの間の関連付けにしたがって前記ユーザ名に関連付けられた前記ＭＳＩＳＤＮ及び前記ＩＭＳＩを取得するステップであって、前記ユーザ名と前記ＭＳＩＳＤＮとの間の前記関連付け、及び前記ユーザ名と前記ＩＭＳＩとの間の前記関連付けが、予め構成されるステップ、又は
前記ユーザ名及び前記パスワード、前記ユーザ名と、前記パスワードと、ＭＳＩＳＤＮとの間の関連付け、並びに前記ユーザ名及び前記パスワードとＩＭＳＩとの間の関連付けにしたがって前記ユーザ名と前記パスワードとの両方に関連付けられた前記ＭＳＩＳＤＮ及び前記ＩＭＳＩを取得するステップであって、前記ユーザ名及び前記パスワードと前記ＭＳＩＳＤＮとの間の前記関連付け、並びに前記ユーザ名及び前記パスワードと前記ＩＭＳＩとの間の前記関連付けが、予め構成されるステップを含む、請求項１に記載のモバイル・ネットワークにアクセスするための方法。
【請求項３】
前記ＵＥが前記ＷＬＡＮにアクセスするための前記ユーザ識別情報が、ユーザ名又はユーザ名及びパスワードを含み、前記ＵＥが前記モバイル・ネットワークにアクセスするための前記ユーザ識別情報が、ＭＳＩＳＤＮ及びＩＭＳＩを含み、
前記ＵＥが前記ＷＬＡＮにアクセスするための前記ユーザ識別情報にしたがって、前記ＵＥが前記ＷＬＡＮにアクセスするための前記ユーザ識別情報に関連付けられた、前記ＵＥがモバイル・ネットワークにアクセスするためのユーザ識別情報を取得する前記ステップが、
前記ユーザ名、及び前記ユーザ名とＩＭＳＩとの間の関連付けにしたがって、前記ユーザ名に関連付けられた前記ＩＭＳＩを取得し、前記ユーザ名に関連付けられた前記ＩＭＳＩに関連付けられたＭＳＩＳＤＮを、前記ユーザ名に関連付けられた前記ＩＭＳＩにしたがってホーム・ロケーション・レジスタＨＬＲ若しくはホーム加入者サーバＨＳＳから取得するステップであって、前記ユーザ名と前記ＩＭＳＩとの間の前記関連付けが、予め構成されるステップ、又は
前記ユーザ名、前記パスワード、及び前記ユーザ名と、前記パスワードと、ＩＭＳＩとの間の関連付けにしたがって、前記ユーザ名と前記パスワードとの両方に関連付けられた前記ＩＭＳＩを取得し、前記ユーザ名と前記パスワードとの両方に関連付けられた前記ＩＭＳＩに関連付けられたＭＳＩＳＤＮを、前記ユーザ名と前記パスワードとの両方に関連付けられた前記ＩＭＳＩにしたがってホーム・ロケーション・レジスタＨＬＲ若しくはホーム加入者サーバＨＳＳから取得するステップであって、前記ユーザ名及び前記パスワードと前記ＩＭＳＩとの間の前記関連付けが、予め構成されるステップとを含む、請求項１に記載のモバイル・ネットワークにアクセスするための方法。
【請求項４】
前記ＵＥが前記ＷＬＡＮにアクセスするための前記ユーザ識別情報が、ユーザ名又はユーザ名及びパスワードを含み、前記ＵＥが前記モバイル・ネットワークにアクセスするための前記ユーザ識別情報が、ＭＳＩＳＤＮ及びＩＭＳＩを含み、
前記ＵＥが前記ＷＬＡＮにアクセスするための前記ユーザ識別情報にしたがって、前記ＵＥが前記ＷＬＡＮにアクセスするための前記ユーザ識別情報に関連付けられた、前記ＵＥがモバイル・ネットワークにアクセスするためのユーザ識別情報を取得する前記ステップが、
前記ユーザ名がＭＳＩＳＤＮであるとき、前記ＭＳＩＳＤＮにしたがってＨＬＲ又はＨＳＳから前記ＭＳＩＳＤＮに関連付けられたＩＭＳＩを取得するステップを含む、請求項１に記載のモバイル・ネットワークにアクセスするための方法。
【請求項５】
前記ＵＥが前記モバイル・ネットワークにアクセスするための前記ユーザ識別情報をＴＷＡＧに送信するステップが、
アカウンティング応答メッセージを通じて、前記ＵＥが前記モバイル・ネットワークにアクセスするための前記ユーザ識別情報を前記ＴＷＡＧに送信するステップ、又は
認証応答メッセージを通じて、前記ＵＥが前記モバイル・ネットワークにアクセスするための前記ユーザ識別情報を前記ＴＷＡＧに送信するステップを含む、請求項１から４のいずれか一項に記載のモバイル・ネットワークにアクセスするための方法。
【請求項６】
ＵＥがＷＬＡＮにアクセスするためのユーザ識別情報を取得するように構成された第１の取得ユニットと、
前記ＵＥが前記ＷＬＡＮにアクセスするための前記ユーザ識別情報にしたがって、前記ＵＥが前記ＷＬＡＮにアクセスするための前記ユーザ識別情報に関連付けられた、前記ＵＥがモバイル・ネットワークにアクセスするためのユーザ識別情報を取得するように構成された第２の取得ユニットであって、前記ＵＥが前記モバイル・ネットワークにアクセスするための前記ユーザ識別情報が、前記ＵＥが前記モバイル・ネットワークにアクセスするために使用される、第２の取得ユニットと、
前記ＵＥが前記モバイル・ネットワークにアクセスすることを可能にするようにＴＷＡＧに命じるために、前記ＵＥが前記モバイル・ネットワークにアクセスするための前記ユーザ識別情報を前記ＴＷＡＧに送信するように構成された送信ユニットとを含む、モバイル・ネットワークにアクセスするための装置。
【請求項７】
前記ＵＥが前記ＷＬＡＮにアクセスするための前記ユーザ識別情報が、ユーザ名又はユーザ名及びパスワードを含み、前記ＵＥが前記モバイル・ネットワークにアクセスするための前記ユーザ識別情報が、ＭＳＩＳＤＮ及びＩＭＳＩを含み、
前記第２の取得ユニットが、前記ユーザ名、前記ユーザ名とＭＳＩＳＤＮとの間の関連付け、及び前記ユーザ名とＩＭＳＩとの間の関連付けにしたがって前記ユーザ名に関連付けられた前記ＭＳＩＳＤＮ及び前記ＩＭＳＩを取得するように特に構成され、前記ユーザ名と前記ＭＳＩＳＤＮとの間の前記関連付け、及び前記ユーザ名と前記ＩＭＳＩとの間の前記関連付けが、予め構成されるか、又は
前記第２の取得ユニットが、前記ユーザ名及び前記パスワード、前記ユーザ名及び前記パスワードとＭＳＩＳＤＮとの間の関連付け、並びに前記ユーザ名及び前記パスワードとＩＭＳＩとの間の関連付けにしたがって、前記ユーザ名と前記パスワードとの両方に関連付けられた前記ＭＳＩＳＤＮ及び前記ＩＭＳＩを取得するように特に構成され、前記ユーザ名及び前記パスワードと前記ＭＳＩＳＤＮとの間の前記関連付け、並びに前記ユーザ名及び前記パスワードと前記ＩＭＳＩとの間の前記関連付けが、予め構成される、請求項６に記載のモバイル・ネットワークにアクセスするための装置。
【請求項８】
前記ＵＥが前記ＷＬＡＮにアクセスするための前記ユーザ識別情報が、ユーザ名又はユーザ名及びパスワードを含み、前記ＵＥが前記モバイル・ネットワークにアクセスするための前記ユーザ識別情報が、ＭＳＩＳＤＮ及びＩＭＳＩを含み、
前記第２の取得ユニットが、前記ユーザ名、及び前記ユーザ名とＩＭＳＩとの間の関連付けにしたがって、前記ユーザ名に関連付けられた前記ＩＭＳＩを取得し、前記ユーザ名に関連付けられた前記ＩＭＳＩに関連付けられたＭＳＩＳＤＮを、前記ユーザ名に関連付けられた前記ＩＭＳＩにしたがってホーム・ロケーション・レジスタＨＬＲ若しくはホーム加入者サーバＨＳＳから取得するように特に構成され、前記ユーザ名と前記ＩＭＳＩとの間の前記関連付けが、予め構成されるか、又は、
第２の取得ユニットが、前記ユーザ名、前記パスワード、並びに前記ユーザ名及び前記パスワードとＩＭＳＩとの間の関連付けにしたがって、前記ユーザ名と前記パスワードとの両方に関連付けられた前記ＩＭＳＩを取得し、前記ユーザ名と前記パスワードとの両方に関連付けられた前記ＩＭＳＩに関連付けられたＭＳＩＳＤＮを、前記ユーザ名と前記パスワードとの両方に関連付けられた前記ＩＭＳＩにしたがってホーム・ロケーション・レジスタＨＬＲ若しくはホーム加入者サーバＨＳＳから取得するように特に構成され、前記ユーザ名及び前記パスワードと前記ＩＭＳＩとの間の前記関連付けが、予め構成される、請求項６に記載のモバイル・ネットワークにアクセスするための装置。
【請求項９】
前記ＵＥが前記ＷＬＡＮにアクセスするための前記ユーザ識別情報が、ユーザ名又はユーザ名及びパスワードを含み、前記ＵＥが前記モバイル・ネットワークにアクセスするための前記ユーザ識別情報が、ＭＳＩＳＤＮ及びＩＭＳＩを含み、
前記第２の取得ユニットが、前記ユーザ名がＭＳＩＳＤＮであるとき、前記ＭＳＩＳＤＮにしたがってＨＬＲ又はＨＳＳから前記ＭＳＩＳＤＮに関連付けられたＩＭＳＩを取得するように特に構成される、請求項６に記載のモバイル・ネットワークにアクセスするための装置。
【請求項１０】
前記送信ユニットが、アカウンティング応答メッセージを通じて、前記ＵＥが前記モバイル・ネットワークにアクセスするための前記ユーザ識別情報を前記ＴＷＡＧに送信するか、又は認証応答メッセージを通じて、前記ＵＥが前記モバイル・ネットワークにアクセスするための前記ユーザ識別情報を前記ＴＷＡＧに送信するように特に構成される、請求項６から９のいずれか一項に記載のモバイル・ネットワークにアクセスするための装置。
【請求項１１】
認証、認可、及びアカウンティングＡＡＡサーバに配置されるか、又はＡＡＡプロキシＰｒｏｘｙに配置される、請求項６から９のいずれか一項に記載のモバイル・ネットワークにアクセスするための装置。
【請求項１２】
前記ＡＡＡ  Ｐｒｏｘｙが、前記ＴＷＡＧに配置される請求項１２に記載のモバイル・ネットワークにアクセスするための装置。
【請求項１３】
ＵＥがＷＬＡＮにアクセスするためのユーザ識別情報に関連付けられた、前記ＵＥがモバイル・ネットワークにアクセスするためのユーザ識別情報を受信するステップと、
前記ＵＥが前記モバイル・ネットワークにアクセスするための前記ユーザ識別情報にしたがって前記ＵＥが前記モバイル・ネットワークにアクセスすることを可能にするステップとを含む、モバイル・ネットワークにアクセスするための方法。
【請求項１４】
前記ＵＥが前記モバイル・ネットワークにアクセスするための前記ユーザ識別情報にしたがって前記ＵＥが前記モバイル・ネットワークにアクセスすることを可能にする前記ステップが、
前記ＵＥが前記ＷＬＡＮにアクセスするためのローカルｌｏｃａｌ  ＩＰを取得するステップと、
ＡＰＮにしたがって、前記モバイル・ネットワークにアクセスするためのＧＧＳＮを決定し、ＧＴＰトンネルを確立する要求を前記ＧＧＳＮに送信するステップであって、前記要求が、前記ＵＥが前記モバイル・ネットワークにアクセスするための前記ユーザ識別情報を運び、前記ＵＥが前記モバイル・ネットワークにアクセスするための前記ユーザ識別情報が、ＭＳＩＳＤＮ及びＩＭＳＩを含む、決定し、送信するステップと、
前記ＧＧＳＮによって割り振られる、前記ＵＥが前記モバイル・ネットワークにアクセスするためのリモートｒｅｍｏｔｅ  ＩＰを取得するステップと、
前記ＵＥが前記モバイル・ネットワークにアクセスすることを可能にするために、前記ローカルＩＰと前記リモートＩＰとの間の対応を確立するステップとを含む、請求項１３に記載のモバイル・ネットワークにアクセスするための方法。
【請求項１５】
サービス・パケットを受信し、前記サービス・パケットに対してローカルＩＰとリモートＩＰとの間のネットワーク・アドレス変換ＮＡＴを実行するステップをさらに含む、請求項１４に記載のモバイル・ネットワークにアクセスするための方法。
【請求項１６】
前記ＵＥが前記モバイル・ネットワークにアクセスするための前記ユーザ識別情報にしたがって前記ＵＥが前記モバイル・ネットワークにアクセスすることを可能にする前記ステップが、
前記ＵＥによって開始された動的ホスト構成プロトコルＤＨＣＰ要求を受信するステップと、
ＡＰＮにしたがって、前記モバイル・ネットワークにアクセスするためのＧＧＳＮを決定し、ＧＴＰトンネルを確立する要求を前記ＧＧＳＮに送信するステップであって、前記要求が、前記ＵＥが前記モバイル・ネットワークにアクセスするための前記ユーザ識別情報を運び、前記ＵＥが前記モバイル・ネットワークにアクセスするための前記ユーザ識別情報が、ＭＳＩＳＤＮ及びＩＭＳＩを含む、決定し、送信するステップと、
前記ＵＥが前記モバイル・ネットワークにアクセスすることを可能にするために、前記ＧＧＳＮによって割り振られる、前記ＵＥが前記モバイル・ネットワークにアクセスするためのＩＰを取得し、前記ＩＰを前記ＵＥに送信するステップとを含む、請求項１３に記載のモバイル・ネットワークにアクセスするための方法。
【請求項１７】
前記ＵＥが前記モバイル・ネットワークにアクセスするためのＡＰＮをローカルで設定するステップ、又は
ＡＡＡサーバ若しくはＡＡＡ  Ｐｒｏｘｙによって送信される、前記ＵＥが前記モバイル・ネットワークにアクセスするためのＡＰＮを受信するステップをさらに含む、請求項１４又は１６に記載のモバイル・ネットワークにアクセスするための方法。
【請求項１８】
ＵＥがＷＬＡＮにアクセスするためのユーザ識別情報に関連付けられた、前記ＵＥがモバイル・ネットワークにアクセスするためのユーザ識別情報を受信するように構成された受信ユニットと、
前記ＵＥが前記モバイル・ネットワークにアクセスするための前記ユーザ識別情報にしたがって前記ＵＥが前記モバイル・ネットワークにアクセスすることを可能にするように構成されたアクセス・ユニットとを含む、モバイル・ネットワークにアクセスするための装置。
【請求項１９】
前記アクセス・ユニットが、
前記ＵＥが前記ＷＬＡＮにアクセスするためのローカルｌｏｃａｌ  ＩＰを取得することと、
ＡＰＮにしたがって、前記モバイル・ネットワークにアクセスするためのＧＧＳＮを決定し、ＧＴＰトンネルを確立する要求を前記ＧＧＳＮに送信することであって、前記要求が、前記ＵＥが前記モバイル・ネットワークにアクセスするための前記ユーザ識別情報を運び、前記ＵＥが前記モバイル・ネットワークにアクセスするための前記ユーザ識別情報が、ＭＳＩＳＤＮ及びＩＭＳＩを含む、決定し、送信することと、
前記ＧＧＳＮによって割り振られる、前記ＵＥが前記モバイル・ネットワークにアクセスするためのリモートｒｅｍｏｔｅ  ＩＰを取得することと、
前記ＵＥが前記モバイル・ネットワークにアクセスすることを可能にするために、前記ローカルＩＰと前記リモートＩＰとの間の対応を確立し、決定することとを行うように特に構成される、請求項１８に記載のモバイル・ネットワークにアクセスするための装置。
【請求項２０】
サービス・パケットを受信し、前記サービス・パケットに対してローカルＩＰとリモートＩＰとの間のネットワーク・アドレス変換ＮＡＴを実行するように構成されたＮＡＴユニットをさらに含む、請求項１９に記載のモバイル・ネットワークにアクセスするための装置。
【請求項２１】
前記アクセス・ユニットが、
前記ＵＥによって開始された動的ホスト構成プロトコルＤＨＣＰ要求を受信することと、
ＡＰＮにしたがって、前記モバイル・ネットワークにアクセスするためのＧＧＳＮを決定し、ＧＴＰトンネルを確立する要求を前記ＧＧＳＮに送信することであって、前記要求が、前記ＵＥが前記モバイル・ネットワークにアクセスするための前記ユーザ識別情報を運び、前記ＵＥが前記モバイル・ネットワークにアクセスするための前記ユーザ識別情報が、ＭＳＩＳＤＮ及びＩＭＳＩを含む、決定し、送信することと、
前記ＵＥが前記モバイル・ネットワークにアクセスすることを可能にするために、前記ＧＧＳＮによって割り振られる、前記ＵＥが前記モバイル・ネットワークにアクセスするためのＩＰを取得し、前記ＩＰを前記ＵＥに送信することとを行うように特に構成される、請求項１８に記載のモバイル・ネットワークにアクセスするための装置。
【請求項２２】
前記ＵＥが前記モバイル・ネットワークにアクセスするためのＡＰＮをローカルで設定するように構成された設定ユニットをさらに含み、
前記受信ユニットが、実際にＡＡＡサーバ又はＡＡＡ  Ｐｒｏｘｙによって送信される、前記ＵＥが前記モバイル・ネットワークにアクセスするためのＡＰＮを受信するようにさらに構成される、請求項１９から２１のいずれか一項に記載のモバイル・ネットワークにアクセスするための装置。
【請求項２３】
ＴＷＡＧに配置される、請求項１８から２２のいずれか一項に記載のモバイル・ネットワークにアクセスするための装置。
【請求項２４】
請求項６から１２のいずれか一項に記載のモバイル・ネットワークにアクセスするための装置及び請求項１８から２３のいずれか一項に記載のモバイル・ネットワークにアクセスするための装置を含む、モバイル・ネットワークにアクセスするためのシステム。
【発明の詳細な説明】
【技術分野】
【０００１】
本発明の実施形態は、通信技術の分野に関し、特に、モバイル・ネットワークにアクセスするための方法、装置、及びシステムに関する。
【背景技術】
【０００２】
ＵＥ（Ｕｓｅｒ  Ｅｑｕｉｐｍｅｎｔ、ユーザ機器）がＷＬＡＮ（Ｗｉｒｅｌｅｓｓ  Ｌｏｃａｌ  Ａｒｅａ  Ｎｅｔｗｏｒｋ、無線ローカル・エリア・ネットワーク）にアクセスするための認証方法では、概して、ユーザ名及びパスワードが、ユーザの識別情報として使用され、ＷＬＡＮが、ユーザ名及びパスワードにしたがってユーザを認証する。ＷＬＡＮにアクセスするＵＥは、ＷＬＡＮ  ＵＥと呼ばれ得る。
【発明の概要】
【発明が解決しようとする課題】
【０００３】
しかし、ＷＬＡＮ  ＵＥに関するユーザ名及びパスワード認証方法は、モバイル・ネットワークへのアクセスを実施することができない。したがって、モバイル・ネットワークにアクセスするための方法が、ＷＬＡＮ  ＵＥの要件を満たすためにＷＬＡＮ  ＵＥに提供される必要がある。
【課題を解決するための手段】
【０００４】
本発明の実施形態は、モバイル・ネットワークへのＷＬＡＮ  ＵＥのアクセスを実施するために、モバイル・ネットワークにアクセスするための方法、装置、及びシステムを提供する。
【０００５】
一態様において、本発明の一実施形態は、モバイル・ネットワークにアクセスするための方法を提供し、方法は、
ユーザ機器ＵＥが無線ローカル・エリア・ネットワークＷＬＡＮにアクセスするためのユーザ識別情報を取得するステップと、
ＵＥがＷＬＡＮにアクセスするためのユーザ識別情報にしたがって、ＵＥがＷＬＡＮにアクセスするためのユーザ識別情報に関連付けられた、ＵＥがモバイル・ネットワークにアクセスするためのユーザ識別情報を取得するステップと、
ＵＥがモバイル・ネットワークにアクセスすることを可能にするよう、信頼できる無線アクセス・ゲートウェイＴＷＡＧ（Ｔｒｕｓｔｅｄ  Ｗｉｒｅｌｅｓｓ  Ａｃｃｅｓｓ  Ｇａｔｅｗａｙ）に命じるために、ＵＥがモバイル・ネットワークにアクセスするためのユーザ識別情報をＴＷＡＧに送信するステップとを含む。
【０００６】
それに対応して、本発明の一実施形態は、モバイル・ネットワークにアクセスするための装置を提供し、装置は、
ＵＥがＷＬＡＮにアクセスするためのユーザ識別情報を取得するよう構成された第１の取得ユニットと、
ＵＥがＷＬＡＮにアクセスするためのユーザ識別情報にしたがって、ＵＥがＷＬＡＮにアクセスするためのユーザ識別情報に関連付けられた、ＵＥがモバイル・ネットワークにアクセスするためのユーザ識別情報を取得するよう構成された第２の取得ユニットであって、ＵＥがモバイル・ネットワークにアクセスするためのユーザ識別情報が、ＵＥがモバイル・ネットワークにアクセスするために使用される、第２の取得ユニットと、
ＵＥがモバイル・ネットワークにアクセスすることを可能にするようＴＷＡＧに命じるために、ＵＥがモバイル・ネットワークにアクセスするためのユーザ識別情報をＴＷＡＧに送信するよう構成された送信ユニットとを含む。
【０００７】
別の態様において、本発明の一実施形態は、モバイル・ネットワークにアクセスするための方法を提供し、方法は、
ＵＥがＷＬＡＮにアクセスするためのユーザ識別情報に関連付けられた、ＵＥがモバイル・ネットワークにアクセスするためのユーザ識別情報を受信するステップと、
ＵＥがモバイル・ネットワークにアクセスするためのユーザ識別情報にしたがってＵＥがモバイル・ネットワークにアクセスすることを可能にするステップとを含む。
【０００８】
それに対応して、本発明の一実施形態は、モバイル・ネットワークにアクセスするための装置を提供し、装置は、
ＵＥがＷＬＡＮにアクセスするためのユーザ識別情報に関連付けられた、ＵＥがモバイル・ネットワークにアクセスするためのユーザ識別情報を受信するよう構成された受信ユニットと、
ＵＥがモバイル・ネットワークにアクセスするためのユーザ識別情報にしたがってＵＥがモバイル・ネットワークにアクセスすることを可能にするよう構成されたアクセス・ユニットとを含む。
【０００９】
別の態様において、本発明の一実施形態は、モバイル・ネットワークにアクセスするためのシステムを提供し、システムは、
ユーザ機器ＵＥが無線ローカル・エリア・ネットワークＷＬＡＮにアクセスするためのユーザ識別情報を取得し、ＵＥがＷＬＡＮにアクセスするためのユーザ識別情報にしたがって、ＵＥがＷＬＡＮにアクセスするためのユーザ識別情報に関連付けられた、ＵＥがモバイル・ネットワークにアクセスするためのユーザ識別情報を取得し、ＵＥがモバイル・ネットワークにアクセスすることを可能にするよう、信頼できる無線アクセス・ゲートウェイＴＷＡＧに命じるために、ＵＥがモバイル・ネットワークにアクセスするためのユーザ識別情報をＴＷＡＧに送信するよう構成されたモバイル・ネットワークにアクセスするための第１の装置と、
ＵＥがＷＬＡＮにアクセスするためのユーザ識別情報に関連付けられた、ＵＥがモバイル・ネットワークにアクセスするためのユーザ識別情報を受信し、ＵＥがモバイル・ネットワークにアクセスするためのユーザ識別情報にしたがってＵＥがモバイル・ネットワークにアクセスすることを可能にするよう構成されたモバイル・ネットワークにアクセスするための第２の装置とを含む。
【００１０】
本発明の実施形態におけるモバイル・ネットワークにアクセスするための方法及び装置によって、ＵＥがＷＬＡＮにアクセスするためのユーザ識別情報に関連付けられた、ＵＥがモバイル・ネットワークにアクセスするためのユーザ識別情報が、ＵＥがＷＬＡＮにアクセスするためのユーザ識別情報にしたがって取得され、その結果、モバイル・ネットワークへのＵＥのアクセスが、ＵＥがモバイル・ネットワークにアクセスするためのユーザ識別情報を通じて実施され得る。
【図面の簡単な説明】
【００１１】
【図１】本発明の一実施形態によるモバイル・ネットワークにアクセスするための方法の概略的な流れ図である。
【図２】本発明の一実施形態によるモバイル・ネットワークにアクセスするための別の方法の概略的な流れ図である。
【図３】本発明の一実施形態によるモバイル・ネットワークにアクセスするためのさらに別の方法の概略的な流れ図である。
【図４】本発明の一実施形態によるモバイル・ネットワークにアクセスするためのさらに別の方法の概略的な流れ図である。
【図５】本発明の一実施形態によるモバイル・ネットワークにアクセスするためのさらに別の方法の概略的な流れ図である。
【図６】本発明の一実施形態によるモバイル・ネットワークにアクセスするためのさらに別の方法の概略的な流れ図である。
【図７】本発明の一実施形態によるモバイル・ネットワークにアクセスするための装置の概略的な構造図である。
【図８】本発明の一実施形態によるモバイル・ネットワークにアクセスするための別の装置の概略的な構造図である。
【図９】本発明の一実施形態によるモバイル・ネットワークにアクセスするためのシステムの概略的な構造図である。
【図１０】本発明の一実施形態によるモバイル・ネットワークにアクセスするためのシステムの応用シナリオの概略図である。
【図１１】本発明の一実施形態によるモバイル・ネットワークにアクセスするためのシステムのさらに別の応用シナリオの概略図である。
【発明を実施するための形態】
【００１２】
図１に示されるように、本発明の一実施形態は、モバイル・ネットワークにアクセスするための方法を提供し、方法は、以下のステップを含む。
【００１３】
１１：ＵＥ（Ｕｓｅｒ  Ｅｑｕｉｐｍｅｎｔ、ユーザ機器）がＷＬＡＮ（Ｗｉｒｅｌｅｓｓ  Ｌｏｃａｌ  Ａｒｅａ  Ｎｅｔｗｏｒｋ、無線ローカル・エリア・ネットワーク）にアクセスするためのユーザ識別情報を取得する。
【００１４】
１２：ＵＥがＷＬＡＮにアクセスするためのユーザ識別情報にしたがって、ＵＥがＷＬＡＮにアクセスするためのユーザ識別情報に関連付けられた、ＵＥがモバイル・ネットワークにアクセスするためのユーザ識別情報を取得する。
【００１５】
１３：ＵＥがモバイル・ネットワークにアクセスすることを可能にするようＴＷＡＧ（Ｔｒｕｓｔｅｄ  ＷＬＡＮ  Ａｃｃｅｓｓ  Ｇａｔｅｗａｙ、信頼できる無線アクセス・ゲートウェイ）に命じるために、ＵＥがモバイル・ネットワークにアクセスするためのユーザ識別情報をＴＷＡＧに送信する。
【００１６】
本発明の実施形態におけるモバイル・ネットワークにアクセスするための方法の実行者は、ＡＡＡ（Ａｕｔｈｏｒｉｔｙ，Ａｕｔｈｅｎｔｉｃａｔｉｏｎ，Ａｃｃｏｕｎｔｉｎｇ、認証、認可、及びアカウンティング）サーバ又はＡＡＡ  Ｐｒｏｘｙ（プロキシ）などの認証機能を実施するためのエンティティである可能性がある。
【００１７】
本発明の実施形態において、ＴＷＡＧ及びＡＡＡプロキシは、同じ物理的なデバイス上に配置される可能性がある。
【００１８】
例示的に、本発明の実施形態におけるモバイル・ネットワークにアクセスするための方法では、ＵＥがＷＬＡＮにアクセスするためのユーザ識別情報は、（１）ユーザ名、又は（２）ユーザ名及びパスワードを含み得る。ＵＥがＷＬＡＮにアクセスするためのユーザ名及びパスワード認証方法は、Ｐｏｒｔａｌ（ポータル）認証方法又はＰＥＡＰ（Ｐｒｏｔｅｃｔｅｄ  Ｅｘｔｅｎｓｉｂｌｅ  Ａｕｔｈｅｎｔｉｃａｔｉｏｎ  Ｐｒｏｔｏｃｏｌ、保護された拡張可能認証プロトコル）認証方法などである可能性があり、本発明の実施形態で限定されない。
【００１９】
例示的に、ＵＥがモバイル・ネットワークにアクセスするためのユーザ識別情報は、ＭＳＩＳＤＮ（Ｍｏｂｉｌｅ  Ｓｔａｔｉｏｎ  ＩＳＤＮ番号、移動局識別番号、ＩＳＤＮ、Ｉｎｔｅｇｒａｔｅｄ  Ｓｅｒｖｉｃｅ  Ｄｉｇｉｔａｌ  Ｎｅｔｗｏｒｋ、統合サービス・デジタル・ネットワーク）及びＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、国際移動体加入者識別番号）を含み得る。
【００２０】
本発明の実施形態におけるモバイル・ネットワークにアクセスするための方法では、ＵＥは、モバイル電話（セル電話）、パーソナル・コンピュータ（ＰＣ）、タブレット・コンピュータ、移動局（Ｍｏｂｉｌｅ  Ｓｔａｔｉｏｎ、ＭＳ）、又はモバイル端末（Ｍｏｂｉｌｅ  Ｔｅｒｍｉｎａｌ、ＭＴ）などである可能性がある。本発明の実施形態において、モバイル・ネットワークにアクセスすることは、モバイル事業者のコア・ネットワーク、例えば、３ＧＰＰ（Ｔｈｅ  ３ｒｄ  Ｇｅｎｅｒａｔｉｏｎ  Ｐｒｏｊｅｃｔ  Ｐａｒｔｎｅｒｓｈｉｐ、第３世代パートナーシップ・プロジェクト）システムのコア・ネットワーク又はＣＤＭＡ（Ｃｏｄｅ  Ｄｉｖｉｓｉｏｎ  Ｍｕｌｔｉｐｌｅ  Ａｃｃｅｓｓ、符号分割多元接続）システムのコア・ネットワークにアクセスすることを指す可能性がある。
【００２１】
例示的に、ステップ１１の、ＵＥがＷＬＡＮにアクセスするためのユーザ識別情報を取得することは、以下の通りである可能性がある。ＡＡＡサーバが存在するシナリオを例にあげると、ＵＥが、Ｐｏｒｔａｌページでユーザ名及びパスワードを入力し、ユーザ名及びパスワードが、ＡＣ（Ａｃｃｅｓｓ  Ｃｏｎｔｒｏｌｌｅｒ、アクセス・コントローラ）／Ｂｒａｓ（ｂｒｏａｄｂａｎｄ  ｒｅｍｏｔｅ  ａｃｃｅｓｓ  ｓｅｒｖｅｒ、ブロードバンド・リモート・アクセス・サーバ）に送信され、ＡＣ／Ｂｒａｓが、ユーザ名及びパスワードをＡＡＡサーバに送信し、ＡＡＡサーバが、ＵＥに対してポータルの認証を実行し、その結果、ＡＡＡサーバが、ユーザ名又はユーザ名及びパスワードを取得し、つまり、ＵＥがＷＬＡＮにアクセスするためのユーザ識別情報が、取得される。
【００２２】
例示的に、ステップ１２の、ＵＥがＷＬＡＮにアクセスするためのユーザ識別情報にしたがって、ＵＥがＷＬＡＮにアクセスするためのユーザ識別情報に関連付けられた、ＵＥがモバイル・ネットワークにアクセスするためのユーザ識別情報を取得することは、以下を含み得る。
【００２３】
（１）：ＷＬＡＮユーザ識別情報にしたがって、ＵＥがモバイル・ネットワークにアクセスするためのユーザ識別情報を直接取得する。
【００２４】
例えば、ユーザ名に関連付けられたＭＳＩＳＤＮ及びＩＭＳＩが、ユーザ名、ユーザ名とＭＳＩＳＤＮとの間の関連付け、及びユーザ名とＩＭＳＩとの間の関連付けにしたがって取得され、ユーザ名とＭＳＩＳＤＮとの間の関連付け、及びユーザ名とＩＭＳＩとの間の関連付けは、予め構成され、つまり、データベース又は構成ファイルを通じて予めＡＡＡサーバ上又はＡＡＡ  Ｐｒｏｘｙ上で構成される可能性がある。表１に示されるように、ユーザ名がＵｓｅｒ１であるユーザに対応するＭＳＩＳＤＮが、ＭＳＩＤＮ１である可能性があり、対応するＩＭＳＩが、ＩＭＳＩ１である可能性がある。
【表１】
2015525992.tif 000003
【００２５】
別の例として、ユーザ名とパスワードとの両方に関連付けられたＭＳＩＳＤＮ及びＩＭＳＩが、ユーザ名及びパスワード、ユーザ名及びパスワードとＭＳＩＳＤＮとの間の関連付け、並びにユーザ名と、パスワードと、ＩＭＳＩとの間の関連付けにしたがって取得され、ユーザ名及びパスワードとＭＳＩＳＤＮとの間の関連付け、並びにユーザ名及びパスワードとＩＭＳＩとの間の関連付けは、予め構成され、つまり、データベース又は構成ファイルを通じて予めＡＡＡサーバ上又はＡＡＡ  Ｐｒｏｘｙ上で構成される可能性がある。表２に示されるように、ユーザ名がＵｓｅｒ１であり、パスワードがＰａｓｓｗｏｒｄ１であるユーザに対応するＭＳＩＤＮが、ＭＳＩＳＤＮ１である可能性があり、対応するＩＭＳＩは、ＩＭＳＩ１である。
【表２】
2015525992.tif 000004
【００２６】
例示的に、ＡＡＡサーバが、ユーザ名若しくはユーザ名及びパスワードとＭＳＩＳＤＮとの間の関連付け、並びにユーザ名若しくはユーザ名及びパスワードとＩＭＳＩとの間の関連付けを外部データベースから予め取得する可能性があり、又はユーザ名若しくはユーザ名及びパスワードとＭＳＩＳＤＮとの間の関連付け、並びにユーザ名若しくはユーザ名及びパスワードとＩＭＳＩとの間の関連付けが、ＡＡＡサーバ上で予め構成される。外部データベースは、事業者のデータベース又は事業者のデータベース・ファイルなどを含み得る。
【００２７】
ユーザ名又はユーザ名及びパスワードは、ＡＰＮ（Ａｃｃｅｓｓ  Ｐｏｉｎｔ  Ｎａｍｅ、アクセス・ポイント名）又はＱｏＳ（Ｑｕａｌｉｔｙ  ｏｆ  Ｓｅｒｖｉｃｅ、サービス品質）情報などのモバイル・ネットワークの加入データに関連付けられる可能性もある。
【００２８】
（２）：ＷＬＡＮユーザ識別情報にしたがってＵＥのＩＭＳＩを直接取得し、ＩＭＳＩにしたがってＭＳＩＤＮをさらに取得する。
【００２９】
例えば、ユーザ名に関連付けられたＩＭＳＩが、ユーザ名、及びユーザ名とＩＭＳＩとの間の関連付けにしたがって取得され、ユーザ名に関連付けられたＩＭＳＩに関連付けられたＭＳＩＳＤＮが、ユーザ名に関連付けられたＩＭＳＩにしたがってホーム・ロケーション・レジスタＨＬＲ又はホーム加入者サーバＨＳＳから取得され、ユーザ名とＩＭＳＩとの間の関連付けは、予め構成される可能性がある。
【００３０】
別の例として、ユーザ名とパスワードとの両方に関連付けられたＩＭＳＩが、ユーザ名及びパスワード、並びにユーザ名及びパスワードとＩＭＳＩとの間の関連付けにしたがって取得され、ユーザ名とパスワードとの両方に関連付けられたＩＭＳＩに関連付けられたＭＳＩＳＤＮが、ユーザ名とパスワードとの両方に関連付けられたＩＭＳＩにしたがってＨＬＲ（Ｈｏｍｅ  Ｌｏｃａｔｉｏｎ  Ｒｅｇｉｓｔｅｒ、ホーム・ロケーション・レジスタ）又はＨＳＳ（Ｈｏｍｅ  Ｓｕｂｓｃｒｉｂｅｒ  Ｓｅｒｖｅｒ、ホーム加入者サーバ）から取得され、ユーザ名及びパスワードとＩＭＳＩとの間の関係は、予め構成される可能性がある。
【００３１】
ＡＡＡサーバが、ユーザ名とＩＭＳＩとの間の関連付けを外部データベースから取得する可能性があり、又はユーザ名とＩＭＳＩとの間の関連付けが、ＡＡＡサーバ上で予め構成される。外部データベースは、事業者のデータベース又は事業者のデータベース・ファイルなどを含み得る。
【００３２】
ユーザ名又はユーザ名及びパスワードは、ＡＰＮ又はＱｏＳ情報などのモバイル・ネットワークの加入データに関連付けられる可能性もある。
【００３３】
（３）：ユーザ名がＭＳＩＳＤＮであるとき、ＭＳＩＳＤＮにしたがってＨＬＲ又はＨＳＳからＭＳＩＳＤＮに関連付けられたＩＭＳＩを取得する。
【００３４】
ユーザ名は、ＡＰＮ又はＱｏＳ情報などのモバイル・ネットワークの加入データに関連付けられる可能性もある。
【００３５】
例示的に、ステップ１３で、ＵＥがモバイル・ネットワークにアクセスするためのユーザ識別情報をＴＷＡＧに送信するための方法は、
（１）アカウンティング応答メッセージを通じて、ＵＥがモバイル・ネットワークにアクセスするためのユーザ識別情報をＴＷＡＧに送信すること、又は
（２）認証応答メッセージを通じて、ＵＥがモバイル・ネットワークにアクセスするためのユーザ識別情報をＴＷＡＧに送信することである可能性がある。
【００３６】
任意で、本発明の実施形態におけるモバイル・ネットワークにアクセスするための方法は、ＡＰＮ又はＱｏＳ情報をＴＷＡＧに送信することをさらに含み得る。或いは、任意で、ＡＰＮ又はＱｏＳなどの情報に関して、ＴＷＡＧ上で既定値が構成される可能性もある。
【００３７】
ＵＥがモバイル・ネットワークにアクセスするためのユーザ識別情報をＴＷＡＧに送信する方法と同様に、ＡＰＮをＴＷＡＧに送信することは、（１）アカウンティング応答メッセージを通じてＴＷＡＧに向けたＡＰＮをＴＷＡＧに送信すること、又は（２）認証応答メッセージを通じてＴＷＡＧに向けたＡＰＮをＴＷＡＧに送信することを含み得る。
【００３８】
ＵＥがＷＬＡＮにアクセスするためのユーザ識別情報に関連付けられた、ＵＥがモバイル・ネットワークにアクセスするためのユーザ識別情報が、ＵＥがＷＬＡＮにアクセスするためのユーザ識別情報にしたがって取得され、その結果、モバイル・ネットワークへのＷＬＡＮ  ＵＥのアクセスが、ＵＥがモバイル・ネットワークにアクセスするためのユーザ識別情報を通じて実施され得ることが、本発明の実施形態によるモバイル・ネットワークにアクセスするための方法の技術的な解決策から分かる。
【００３９】
図２に示されるように、本発明の一実施形態は、モバイル・ネットワークにアクセスするための方法を提供し、方法は、以下のステップを含む。
【００４０】
２１：ＵＥがＷＬＡＮにアクセスするためのユーザ識別情報に関連付けられた、ＵＥがモバイル・ネットワークにアクセスするためのユーザ識別情報を受信する。
【００４１】
２２：ＵＥがモバイル・ネットワークにアクセスするためのユーザ識別情報にしたがってＵＥがモバイル・ネットワークにアクセスすることを可能にする。
【００４２】
本発明の実施形態におけるモバイル・ネットワークにアクセスするための方法の実行者は、ＴＷＡＧなどの無線アクセス機能を有するゲートウェイである可能性がある。
【００４３】
例示的に、本発明の実施形態におけるモバイル・ネットワークにアクセスするための方法では、ＵＥがＷＬＡＮにアクセスするためのユーザ識別情報は、ユーザ名、又はユーザ名及びパスワードを含み得る。ＵＥがＷＬＡＮにアクセスするためのユーザ名及びパスワード認証方法は、Ｐｏｒｔａｌ認証又はＰＥＡＰ認証である可能性がある。ＵＥがモバイル・ネットワークにアクセスするためのユーザ識別情報は、ＭＳＩＳＤＮ及びＩＭＳＩを含み得る。
【００４４】
ステップ２１の、ＵＥがＷＬＡＮにアクセスするためのユーザ識別情報に関連付けられた、ＵＥがモバイル・ネットワークにアクセスするためのユーザ識別情報を受信することは、
ＵＥがモバイル・ネットワークにアクセスするためのユーザ識別情報を受信することであって、ＵＥがモバイル・ネットワークにアクセスするためのユーザ識別情報が、ＵＥがＷＬＡＮにアクセスするためのユーザ識別情報に関連し、ＡＡＡ又はＡＡＡ  Ｐｒｏｘｙによって送信される、受信することを含み得る。
【００４５】
ステップ２２の、ＵＥがモバイル・ネットワークにアクセスするためのユーザ識別情報にしたがってＵＥがモバイル・ネットワークにアクセスすることを可能にすることは、
ＵＥがＷＬＡＮにアクセスするためのローカル（ｌｏｃａｌ）ＩＰを取得することと、
ＡＰＮにしたがって、モバイル・ネットワークにアクセスするためのＧＧＳＮ（Ｇａｔｅｗａｙ  ＧＰＲＳ  Ｓｕｐｐｏｒｔ  Ｎｏｄｅ、ゲートウェイＧＰＲＳサポート・ノード）を決定し、ＧＴＰ（ＧＰＲＳ  Ｔｕｎｎｅｌ  Ｐｒｏｔｏｃｏｌ、ＧＰＲＳトンネル・プロトコル）トンネルを確立する要求をＧＧＳＮに送信することであって、要求が、ＵＥがモバイル・ネットワークにアクセスするためのユーザ識別情報を収容する、
決定し、送信することと、
ＧＧＳＮによって割り振られる、ＵＥがモバイル・ネットワークにアクセスするためのリモート（ｒｅｍｏｔｅ）ＩＰを取得することと、
ＵＥがモバイル・ネットワークにアクセスすることを可能にするために、ローカルＩＰとリモートＩＰとの間の対応を確立することとを含み得る。
【００４６】
任意で、ローカルＩＰとリモートＩＰとの間の対応は、ＴＷＡＧ上に保存される可能性がある。
【００４７】
任意で、ＡＰＮとＧＧＳＮとの間の対応は、ＴＷＡＧ上で構成される可能性がある。
【００４８】
任意で、本発明の実施形態におけるモバイル・ネットワークにアクセスするための方法は、
サービス・パケットを受信し、サービス・パケットに対してローカルＩＰとリモートＩＰとの間のＮＡＴ（Ｎｅｔｗｏｒｋ  Ａｄｄｒｅｓｓ  Ｔｒａｎｓｌａｔｉｏｎ、ネットワーク・アドレス変換）を実行することをさらに含み得る。
【００４９】
ＵＥがモバイル・ネットワークにアクセスすることを可能にする方法は、ＵＥがＷＬＡＮにアクセスするためのユーザ名及びパスワード認証方法がＰｏｒｔａｌ認証方法であるときに適用され得る。
【００５０】
代替的に、ステップ２２の、ＵＥがモバイル・ネットワークにアクセスするためのユーザ識別情報にしたがってＵＥがモバイル・ネットワークにアクセスすることを可能にすることの実施は、
ＵＥによって開始された動的ホスト構成プロトコルＤＨＣＰ要求を受信することと、
ＡＰＮにしたがって、モバイル・ネットワークにアクセスするためのＧＧＳＮを決定し、ＧＴＰトンネルを確立する要求をＧＧＳＮに送信することであって、要求が、ＵＥがモバイル・ネットワークにアクセスするためのユーザ識別情報を収容する、
決定し、送信することと、
ＵＥがモバイル・ネットワークにアクセスすることを可能にするために、ＧＧＳＮによって割り振られる、ＵＥがモバイル・ネットワークにアクセスするためのＩＰを取得し、ＩＰをＵＥに送信することとを含み得る。
【００５１】
任意で、ＡＰＮとＧＧＳＮとの間の対応は、ＴＷＡＧ上で構成される可能性がある。
【００５２】
ＵＥがモバイル・ネットワークにアクセスすることを可能にする方法は、ＵＥがＷＬＡＮにアクセスするためのユーザ名及びパスワード認証方法がＰＥＡＰ認証方法であるときに適用され得る。
【００５３】
例示的に、本発明の実施形態におけるモバイル・ネットワークにアクセスするための方法は、
ＵＥがモバイル・ネットワークにアクセスするためのＡＰＮをローカルで設定すること、又はＡＡＡサーバ若しくはＡＡＡ  Ｐｒｏｘｙによって送信される、ＵＥがモバイル・ネットワークにアクセスするためのＡＰＮを受信することをさらに含み得る。
【００５４】
ＵＥがＷＬＡＮにアクセスするためのユーザ識別情報に関連付けられた、ＵＥがモバイル・ネットワークにアクセスするためのユーザ識別情報が、ＵＥがＷＬＡＮにアクセスするためのユーザ識別情報にしたがって取得され、その結果、モバイル・ネットワークへのＵＥのアクセスが、ＵＥがモバイル・ネットワークにアクセスするためのユーザ識別情報を通じて実施され得ることが、本発明の実施形態におけるモバイル・ネットワークにアクセスするための方法の技術的な解決策から分かる。
【００５５】
図３に示されるように、本発明の一実施形態によるモバイル・ネットワークにアクセスするための方法が、Ｐｏｒｔａｌ認証の場合のモバイル・ネットワークへのＵＥのアクセスを通して以下で特に示され、ＴＷＡＧ及びＡＣ／Ｂｒａｓは、同じ物理的なデバイス上に配置されている。
【００５６】
３１：ＡＡＡサーバが、ＵＥがＷＬＡＮにアクセスするためのユーザ名及びパスワードを取得する。
【００５７】
例示的に、ＵＥは、ＷＩＦＩ（Ｗｉｒｅｌｅｓｓ  Ｆｉｄｅｌｉｔｙ、ワイヤレス・フィデリティ）機能を有効にし、ＡＣ／Ｂｒａｓによって割り振られる、ＷＬＡＮネットワークのローカルＩＰアドレスを取得する。当業者は、ＷＩＦＩが無線アクセス技術であることを知っているはずである。
【００５８】
ＵＥが、Ｐｏｒｔａｌページでユーザ名及びパスワードを入力し、Ｐｏｒｔａｌサーバが、ユーザ名及びパスワードをＡＣ／Ｂｒａｓに送信し、ＡＣ／Ｂｒａｓが、ユーザ名及びパスワードをＡＡＡサーバに送信し、ＡＡＡサーバが、登録記録にしたがってユーザ名及びパスワードを認証する。Ｐｏｒｔａｌ認証が成功すると、ＡＡＡサーバは、ＵＥがＷＬＡＮにアクセスするためのユーザ名及びパスワードを取得する。Ｐｏｒｔａｌ認証のプロセスに関しては、従来技術が参照可能であり、本明細書において改めて説明されない。
【００５９】
ＡＣ／Ｂｒａｓは、アカウンティング要求（ａｃｃｏｕｎｔｉｎｇ  ｒｅｑｕｅｓｔ）メッセージをＡＡＡに送信し、アカウンティング要求メッセージは、ＵＥのローカルＩＰを含む。ＴＷＡＧ及びＡＣ／Ｂｒａｓは、同じ物理的なデバイス上に配置され、ＴＷＡＧは、ローカルＩＰとＵＥとの間の対応を保存する。代替的に、ＴＷＡＧは、別の機能エンティティとして働き、ＡＣ／Ｂｒａｓとは別に配置される。このようにして、ＴＷＡＧは、ＡＡＡ  Ｐｒｏｘｙとしてメッセージを転送する。
【００６０】
３２：ＡＡＡサーバが、ユーザ名及びパスワードにしたがって、ＵＥがモバイル・ネットワークにアクセスするための関連付けられたＩＭＳＩ及び関連付けられたＭＳＩＳＤＮを取得する。
【００６１】
例示的に、ＡＡＡサーバが、ユーザ名及びパスワードにしたがって、ＵＥがモバイル・ネットワークにアクセスするためのＩＭＳＩとＭＳＩＳＤＮとを関連付けることは、少なくとも以下の３つの方法を含み得る。
【００６２】
（１）：ＡＡＡサーバが、ユーザ名及びパスワードにしたがって、ＵＥがモバイル・ネットワークにアクセスするための関連付けられたユーザ識別情報を取得し、ＵＥがモバイル・ネットワークにアクセスするためのユーザ識別情報は、ＩＭＳＩ及びＭＳＩＳＤＮを含む。
【００６３】
任意で、ＡＡＡサーバは、（事業者のデータベースを含む）事業者のデータ管理システムから、ＵＥがモバイル・ネットワークにアクセスするためのユーザ識別情報を取得する可能性がある。
【００６４】
（２）：ＡＡＡサーバが、ユーザ名及びパスワードにしたがってＵＥの関連付けられたＩＭＳＩを取得する。ＡＡＡサーバは、ＵＥのＩＭＳＩにしたがってＨＬＲに対する位置更新（ｕｐｄａｔｅ  ｌｏｃａｔｉｏｎ）プロセスを開始し、ＨＬＲは、ＭＳＩＳＤＮを配信する。
【００６５】
任意で、ＡＡＡサーバは、（事業者のデータベースを含む）事業者のデータ管理システムからＩＭＳＩを取得する可能性がある。
【００６６】
（３）：ＵＥのユーザ名は、ＭＳＩＳＤＮであり、ＡＡＡサーバは、ＭＳＩＳＤＮにしたがってＨＬＲに対するＭＡＰ送信ＩＭＳＩ（ｓｅｎｄ  ＩＭＳＩ）プロセスを開始し、ＨＬＲからＩＭＳＩ情報を取得する。
【００６７】
このステップにおいては、任意で、ＡＡＡサーバが、ＡＰＮ又はＱｏＳ情報なども取得する可能性がある。代替的に、ＡＰＮ又はＱｏＳなどの情報の値が、ＴＷＡＧ上で構成される可能性もある。
【００６８】
３３：ＡＡＡサーバが、ＵＥがモバイル・ネットワークにアクセスするためのＩＭＳＩ及びＭＳＩＳＤＮをＴＷＡＧに送信する。
【００６９】
例示的に、ＡＡＡサーバは、アカウンティング応答（ａｃｃｏｕｎｔｉｎｇ  ｒｅｓｐｏｎｓｅ）メッセージをＴＷＡＧに送信し、メッセージは、ＩＭＳＩ及びＭＳＩＳＤＮを含む。任意で、メッセージは、ローカルＩＰを含む可能性もあり、この場合、このステップにおいて、ＴＷＡＧは、ローカルＩＰとＵＥとの間の対応をやはり保存する可能性がある。任意で、メッセージは、ＡＰＮ又はＱｏＳ情報を含む可能性もある。
【００７０】
３４：ＴＷＡＧが、ＵＥがモバイル・ネットワークにアクセスするためのＩＭＳＩ及びＭＳＩＳＤＮにしたがってＵＥがモバイル・ネットワークにアクセスすることを可能にする。
【００７１】
例示的に、ＴＷＡＧは、ＡＰＮにしたがってＧＧＳＮを選択し、ＧＧＳＮに対してＧＴＰトンネルの確立をトリガする。ＡＰＮとＧＧＳＮとの間の対応は、ＴＷＡＧで構成される。
【００７２】
ＧＧＳＮは、モバイル・ネットワークのリモートＩＰを割り振り、モバイル・ネットワークのリモートＩＰをＴＷＡＧに返す。ＴＷＡＧは、ローカルＩＰとリモートＩＰとの間の対応を保存する。
【００７３】
その後、ＴＷＡＧは、ＵＥのサービス・パケットを受信した後、ＵＥのサービス・パケットに対してローカルＩＰとリモートＩＰとの間のＮＡＴ変換を実行する。ＴＷＡＧは、ＮＡＴ変換が実行されたサービス・パケットをＧＧＳＮに送信する。
【００７４】
本発明の実施形態におけるモバイル・ネットワークにアクセスするための方法において、ステップ３３は、ＡＡＡサーバが、ＴＷＡＧに、ＩＭＳＩ及びＭＳＩＳＤＮを含む別の通知メッセージ、例えば、認証成功メッセージ（Ａｃｃｅｓｓ  Ａｃｃｅｐｔ）を送信することによって置き換えられ得る。
【００７５】
ＵＥのモバイル・ユーザ識別情報が、ＷＬＡＮ識別情報とモバイル・ユーザ識別情報との間の関連付けを通じて得られ、モバイル・ネットワークが、ＵＥのモバイル・ユーザ識別情報によってアクセスされ、その結果、Ｐｏｒｔａｌ認証の場合のモバイル・ネットワークへのＵＥのアクセスが実施され得ることが、技術的な解決策から分かる。
【００７６】
図４に示されるように、本発明の一実施形態によるモバイル・ネットワークにアクセスするための方法が、Ｐｏｒｔａｌ認証の場合のモバイル・ネットワークへのＵＥのアクセスを通して以下で特に示され、ＴＷＡＧ及びＡＣ／Ｂｒａｓは、同じ物理的なデバイスに配置されている。
【００７７】
４１：ＡＡＡサーバが、ＵＥがＷＬＡＮにアクセスするためのユーザ名及びパスワードを取得する。
【００７８】
例示的に、ＵＥは、ＷＩＦＩ機能を有効にし、ＡＣ／Ｂｒａｓによって割り振られる、ＷＬＡＮネットワークのローカルＩＰアドレスを取得する。ＵＥが、Ｐｏｒｔａｌページでユーザ名及びパスワードを入力し、Ｐｏｒｔａｌサーバが、ユーザ名及びパスワードをＡＣ／Ｂｒａｓに送信し、ＡＣ／Ｂｒａｓが、ユーザ名及びパスワードをＡＡＡサーバに送信し、ＡＡＡサーバが、登録記録にしたがってユーザ名及びパスワードを認証する。Ｐｏｒｔａｌ認証が成功すると、ＡＡＡサーバは、ＵＥがＷＬＡＮにアクセスするためのユーザ名及びパスワードを取得する。ＡＣ／Ｂｒａｓは、アカウンティング要求（ａｃｃｏｕｎｔｉｎｇ  ｒｅｑｕｅｓｔ）メッセージをＡＡＡに送信し、アカウンティング要求メッセージは、ＵＥのローカルＩＰを含む。ＴＷＡＧ及びＡＣ／Ｂｒａｓは、同じ物理的なデバイス上に配置され、ＴＷＡＧは、ローカルＩＰとＵＥとの間の対応を保存する。代替的に、ＴＷＡＧは、別の機能エンティティとして働き、ＡＣ／Ｂｒａｓとは別に配置される。このようにして、ＴＷＡＧは、ＡＡＡ  Ｐｒｏｘｙとしてメッセージを転送する。
【００７９】
４２：ＡＡＡサーバが、ＵＥがＷＬＡＮにアクセスするためのユーザ名及びパスワードをＡＡＡ  Ｐｒｏｘｙに送信する。
【００８０】
例示的に、ＡＡＡサーバは、アカウンティング応答メッセージをＡＡＡ  Ｐｒｏｘｙに送信し、メッセージが、ＵＥがＷＬＡＮにアクセスするためのユーザ名及びパスワードを含む。任意で、メッセージは、ローカルＩＰを含む可能性もある。
【００８１】
４３：ＡＡＡ  Ｐｒｏｘｙが、ユーザ名及びパスワードにしたがって、ＵＥがモバイル・ネットワークにアクセスするための関連付けられたＩＭＳＩ及び関連付けられたＭＳＩＳＤＮを取得する。
【００８２】
例示的に、ＡＡＡ  Ｐｒｏｘｙが、ユーザ名及びパスワードにしたがって、ＵＥがモバイル・ネットワークにアクセスするための関連付けられたＩＭＳＩ及び関連付けられたＭＳＩＳＤＮを取得することは、以下の３つの方法を含む。
【００８３】
（１）：ＡＡＡ  Ｐｒｏｘｙが、ユーザ名及びパスワードにしたがって、ＵＥがモバイル・ネットワークにアクセスするための関連付けられたユーザ識別情報を取得し、ＵＥがモバイル・ネットワークにアクセスするためのユーザ識別情報は、ＩＭＳＩ及びＭＳＩＳＤＮを含む。
【００８４】
任意で、ＡＡＡ  Ｐｒｏｘｙは、（事業者のデータベースを含む）事業者のデータ管理システムから、ＵＥがモバイル・ネットワークにアクセスするためのユーザ識別情報を取得する可能性がある。
【００８５】
（２）：ＡＡＡ  Ｐｒｏｘｙが、ユーザ名及びパスワードにしたがってＵＥの関連付けられたＩＭＳＩを取得する。ＡＡＡ  Ｐｒｏｘｙは、ＵＥのＩＭＳＩにしたがってＨＬＲに対する位置更新（ｕｐｄａｔｅ  ｌｏｃａｔｉｏｎ）プロセスを開始し、ＨＬＲは、ＵＥのＭＳＩＳＤＮを配信する。
【００８６】
任意で、ＡＡＡ  Ｐｒｏｘｙは、（事業者のデータベースを含む）事業者のデータ管理システムからＩＭＳＩを取得する可能性がある。
【００８７】
（３）：ユーザ名は、ＭＳＩＳＤＮであり、ＡＡＡ  Ｐｒｏｘｙは、ＭＳＩＳＤＮにしたがってＨＬＲに対するＭＡＰ送信ＩＭＳＩ（ｓｅｎｄ  ＩＭＳＩ）プロセスを開始し、ＨＬＲからＵＥのＩＭＳＩ情報を取得する。
【００８８】
このステップにおいては、任意で、ＡＡＡ  Ｐｒｏｘｙが、ＡＰＮ又はＱｏＳ情報なども取得する可能性がある。代替的に、ＡＰＮ又はＱｏＳなどの情報に関して、ＴＷＡＧ上で既定値が構成される可能性もある。
【００８９】
４４：ＡＡＡ  Ｐｒｏｘｙが、ＵＥがモバイル・ネットワークにアクセスするためのＩＭＳＩ及びＭＳＩＳＤＮをＴＷＡＧに送信する。
【００９０】
任意で、ＡＡＡ  Ｐｒｏｘｙは、アカウンティング応答（ａｃｃｏｕｎｔｉｎｇ  ｒｅｓｐｏｎｓｅ）メッセージをＴＷＡＧに送信し、メッセージは、ＩＭＳＩ及びＭＳＩＳＤＮを含む。任意で、メッセージは、ローカルＩＰを含む可能性もあり、この場合、このステップにおいて、ＴＷＡＧは、ローカルＩＰとＵＥとの間の対応をやはり保存する可能性がある。任意で、メッセージは、ＡＰＮ又はＱｏＳ情報を含む可能性もある。
【００９１】
４５：ＴＷＡＧが、ＵＥがモバイル・ネットワークにアクセスするためのＩＭＳＩ及びＭＳＩＳＤＮにしたがってＵＥがモバイル・ネットワークにアクセスすることを可能にする。
【００９２】
任意で、ＴＷＡＧは、ＡＰＮにしたがってＧＧＳＮを選択し、ＧＧＳＮに対してＧＴＰトンネルの確立をトリガする。ＡＰＮとＧＧＳＮとの間の対応は、ＴＷＡＧ上で構成される。
【００９３】
ＧＧＳＮは、モバイル・ネットワークのリモートＩＰを割り振り、モバイル・ネットワークのリモートＩＰをＴＷＡＧに返す。ＴＷＡＧは、ローカルＩＰとリモートＩＰとの間の対応を保存する。
【００９４】
その後、ＴＷＡＧは、ＵＥのサービス・パケットを受信した後、ＵＥのサービス・パケットに対してローカルＩＰとリモートＩＰとの間のＮＡＴ変換を実行する。ＴＷＡＧは、ＮＡＴ変換が実行されたサービス・パケットをＧＧＳＮに送信する。
【００９５】
本発明の実施形態におけるモバイル・ネットワークにアクセスするための方法において、ステップ４４は、ＡＡＡ  Ｐｒｏｘｙが、ＴＷＡＧに、ＩＭＳＩ及びＭＳＩＳＤＮを含む別の通知メッセージ、例えば、認証成功メッセージ（Ａｃｃｅｓｓ  Ａｃｃｅｐｔ）を送信することによって置き換えられ得る。
【００９６】
Ｐｏｒｔａｌ認証の下でのモバイル・ネットワークへのＵＥのアクセスが、ＷＬＡＮ識別情報とモバイル・ユーザ識別情報との間の関連付けを通じて実施されることが、技術的な解決策から分かる。
【００９７】
図５に示されるように、本発明の一実施形態によるモバイル・ネットワークにアクセスするための方法が、ＰＥＡＰ認証の下でのモバイル・ネットワークへのＵＥのアクセスを通して以下で特に示され、ＷＬＡＮネットワークのＴＷＡＧ及びＡＣ／Ｂｒａｓは、別々に配置されている。
【００９８】
５１：ＰＥＡＰ／ＡＡＡサーバが、ＵＥがＷＬＡＮにアクセスするためのユーザ名及びパスワードを取得する。
【００９９】
ＵＥとＰＥＡＰ／ＡＡＡサーバとの間のＴＬＳ（Ｔｒａｎｓｐｏｒｔ  Ｌａｙｅｒ  Ｓｅｃｕｒｉｔｙ、トランスポート・レイヤ・セキュリティ）トンネルの確立が完了し、ＰＥＡＰ認証プロセスが完了し、ＰＥＡＰ／ＡＡＡサーバが、ＵＥのユーザ名及びパスワードを取得する。ＰＥＡＰ認証プロセスに関しては、従来技術が参照可能であり、本明細書において改めて説明されない。
【０１００】
ＰＥＡＰ認証プロセスにおいては、ＴＷＡＧが、ＡＡＡプロキシとして働き、ＷＬＡＮネットワークによって送信されるメッセージをＰＥＡＰ／ＡＡＡサーバに転送する。ＰＥＡＰ／ＡＡＡサーバとは、ＰＥＡＰ機能を有するＡＡＡサーバを指す。
【０１０１】
５２：ＰＥＡＰ／ＡＡＡサーバが、ユーザ名及びパスワードにしたがって、ＵＥがモバイル・ネットワークにアクセスするための関連付けられたＩＭＳＩ及び関連付けられたＭＳＩＳＤＮを取得する。
【０１０２】
任意で、ＰＥＡＰ／ＡＡＡサーバは、ＡＰＮ又はＱｏＳ情報なども取得する可能性がある。代替的に、ＡＰＮ又はＱｏＳなどの情報に関して、ＴＷＡＧで既定値が構成される可能性もある。
【０１０３】
例示的に、ＰＥＡＰ／ＡＡＡサーバが、ユーザ名及びパスワードにしたがって、ＵＥがモバイル・ネットワークにアクセスするための関連付けられたＩＭＳＩ及び関連付けられたＭＳＩＳＤＮを取得することは、以下の３つの方法を含む。
【０１０４】
（１）：ＰＥＡＰ／ＡＡＡサーバが、ユーザ名及びパスワードにしたがって、ＵＥがモバイル・ネットワークにアクセスするための関連付けられたユーザ識別情報を取得し、ＵＥがモバイル・ネットワークにアクセスするためのユーザ識別情報は、ＩＭＳＩ及びＭＳＩＳＤＮを含む。
【０１０５】
任意で、ＰＥＡＰ／ＡＡＡサーバは、（事業者のデータベースを含む）事業者のデータ管理システムから、ＵＥがモバイル・ネットワークにアクセスするためのユーザ識別情報を取得する可能性がある。
【０１０６】
（２）：ＰＥＡＰ／ＡＡＡサーバが、ユーザ名及びパスワードにしたがってＵＥの関連付けられたＩＭＳＩを取得する。ＰＥＡＰ／ＡＡＡサーバは、ＵＥのＩＭＳＩにしたがってＨＬＲに対する位置更新（ｌｏｃａｔｉｏｎ  ｕｐｄａｔｅ）プロセスを開始し、ＨＬＲは、ＵＥのＭＳＩＳＤＮを配信する。
【０１０７】
任意で、ＡＡＡサーバは、（事業者のデータベースを含む）事業者のデータ管理システムからＩＭＳＩを取得する可能性がある。
【０１０８】
（３）：ユーザ名は、ＭＳＩＳＤＮであり、ＰＥＡＰ／ＡＡＡサーバは、ＭＳＩＳＤＮにしたがってＨＬＲに対するＭＡＰ送信ＩＭＳＩ（ｓｅｎｄ  ＩＭＳＩ）プロセスを開始し、ＨＬＲからＵＥのＩＭＳＩ情報を取得する。
【０１０９】
５３：ＰＥＡＰ／ＡＡＡサーバが、ＵＥがモバイル・ネットワークにアクセスするためのＩＭＳＩ及びＭＳＩＳＤＮをＴＷＡＧに送信する。
【０１１０】
例示的に、ＰＥＡＰ／ＡＡＡは、ＴＷＡＧにＥＡＰ成功（ＥＡＰ  ｓｕｃｃｅｓｓ）メッセージ、すなわち、ＥＡＰ認証成功メッセージを送信し、メッセージは、ＩＭＳＩ及びＭＳＩＳＤＮを含む。任意で、メッセージは、ＡＰＮ又はＱｏＳ情報を含む可能性もある。
【０１１１】
５４：ＴＷＡＧが、ＵＥがモバイル・ネットワークにアクセスするためのＩＭＳＩ及びＭＳＩＳＤＮにしたがってＵＥがモバイル・ネットワークにアクセスすることを可能にする。
【０１１２】
例示的に、ＵＥは、ＤＨＣＰプロセスを開始する。
【０１１３】
ＴＷＡＧが、ＤＨＣＰサーバ（Ｓｅｒｖｅｒ）としてＧＴＰトンネルの確立をトリガすることは、つまり、ＴＷＡＧが、ＡＰＮにしたがってＧＧＳＮを選択し、ＧＧＳＮに対してＧＴＰトンネルの確立をトリガすることである。ＡＰＮとＧＧＳＮとの間の対応は、ＴＷＡＧで構成される。
【０１１４】
ＧＧＳＮは、ＩＰアドレスを割り振る。
【０１１５】
ＴＷＡＧは、ＩＰアドレスをＵＥに送信する。
【０１１６】
その後、ＴＷＡＧは、ＵＥのサービス・パケットを受信した後、ＩＰアドレスにしたがってサービス・パケットをＧＧＳＮに送信する。
【０１１７】
ＵＥのモバイル・ユーザ識別情報が、ＷＬＡＮ識別情報とモバイル・ユーザ識別情報との間の関連付けを通じて得られ、モバイル・ネットワークが、モバイル・ユーザ識別情報によってアクセスされ、その結果、ＰＥＡＰ認証の下でのモバイル・ネットワークへのＵＥのアクセスが実施されることが、技術的な解決策から分かる。
【０１１８】
図６に示されるように、本発明の一実施形態によるモバイル・ネットワークにアクセスするための方法が、ＰＥＡＰ認証の下でのモバイル・ネットワークへのＵＥのアクセスを通して以下で特に示され、ＷＬＡＮネットワークのＴＷＡＧ及びＡＣ／Ｂｒａｓは、別々に配置されている。
【０１１９】
６１：ＡＡＡサーバが、ＵＥがＷＬＡＮにアクセスするためのユーザ名及びパスワードを取得する。
【０１２０】
ＵＥとＰＥＡＰ／ＡＡＡサーバとの間のＴＬＳトンネルの確立が完了し、ＰＥＡＰ認証プロセスが完了し、ＰＥＡＰ／ＡＡＡサーバが、ＵＥのユーザ名及びパスワードを取得する。
【０１２１】
プロセスにおいては、ＴＷＡＧが、ＡＡＡプロキシとして働き、ＷＬＡＮネットワークによって送信されるメッセージをＰＥＡＰ／ＡＡＡサーバに転送する。ＰＥＡＰ／ＡＡＡサーバとは、ＰＥＡＰ機能を有するＡＡＡサーバを指す。
【０１２２】
６２：ＰＥＡＰ／ＡＡＡサーバが、ＵＥがＷＬＡＮにアクセスするためのユーザ名及びパスワードをＡＡＡ  Ｐｒｏｘｙに送信する。
【０１２３】
ＰＥＡＰ／ＡＡＡサーバは、ＡＡＡ  ＰｒｏｘｙにＥＡＰ成功（ＥＡＰ  ｓｕｃｃｅｓｓ）メッセージ、すなわち、ＥＡＰ認証成功メッセージを送信し、メッセージは、ＵＥがＷＬＡＮにアクセスするためのユーザ名及びパスワードを含む。
【０１２４】
６３：ＡＡＡ  Ｐｒｏｘｙが、ユーザ名及びパスワードにしたがって、ＵＥがモバイル・ネットワークにアクセスするための関連付けられたＩＭＳＩ及び関連付けられたＭＳＩＳＤＮを取得する。
【０１２５】
任意で、ＡＡＡ  Ｐｒｏｘｙは、ＡＰＮ又はＱｏＳ情報なども取得する可能性がある。代替的に、ＡＰＮ又はＱｏＳなどの情報に関して、ＴＷＡＧ上で既定値が構成される可能性もある。
【０１２６】
例示的に、ＡＡＡ  Ｐｒｏｘｙが、ユーザ名及びパスワードにしたがって、ＵＥがモバイル・ネットワークにアクセスするためのＩＭＳＩとＭＳＩＳＤＮとを関連付けることは、以下の３つの方法を含む。
【０１２７】
（１）：ＡＡＡ  Ｐｒｏｘｙが、ユーザ名及びパスワードにしたがって、ＵＥがモバイル・ネットワークにアクセスするための関連付けられたユーザ識別情報を取得し、ＵＥがモバイル・ネットワークにアクセスするためのユーザ識別情報は、ＩＭＳＩ及びＭＳＩＳＤＮを含む。
【０１２８】
任意で、ＡＡＡ  Ｐｒｏｘｙは、（事業者のデータベースを含む）事業者のデータ管理システムから、ＵＥがモバイル・ネットワークにアクセスするためのユーザ識別情報を取得する可能性がある。
【０１２９】
或いは
【０１３０】
（２）：ＡＡＡ  Ｐｒｏｘｙが、ユーザ名及びパスワードにしたがってＵＥの関連付けられたＩＭＳＩを取得する。ＰＥＡＰ／ＡＡＡサーバは、ＵＥのＩＭＳＩにしたがってＨＬＲに対する位置更新（ｕｐｄａｔｅ  ｌｏｃａｔｉｏｎ）プロセスを開始し、ＨＬＲは、ＭＳＩＳＤＮを配信する。
【０１３１】
任意で、ＡＡＡ  Ｐｒｏｘｙは、（事業者のデータベースを含む）事業者のデータ管理システムからＩＭＳＩを取得する可能性がある。
【０１３２】
或いは
【０１３３】
（３）：ユーザ名は、ＭＳＩＳＤＮであり、ＡＡＡ  Ｐｒｏｘｙは、ＭＳＩＳＤＮにしたがってＨＬＲに対するＭＡＰ送信ＩＭＳＩ（ｓｅｎｄ  ＩＭＳＩ）プロセスを開始し、ＨＬＲからＵＥのＩＭＳＩ情報を取得する。
【０１３４】
６４：ＡＡＡ  Ｐｒｏｘｙが、ＵＥがモバイル・ネットワークにアクセスするためのＩＭＳＩ及びＭＳＩＳＤＮをＴＷＡＧに送信する。
【０１３５】
特に、ＰＥＡＰ／ＡＡＡは、ＴＷＡＧにＥＡＰ成功（ＥＡＰ  ｓｕｃｃｅｓｓ）メッセージ、すなわち、ＥＰＡ認証成功メッセージを送信し、メッセージは、ＩＭＳＩ及びＭＳＩＳＤＮを含む。任意で、メッセージは、ＡＰＮ又はＱｏＳ情報を含む可能性もある。
【０１３６】
６５：ＴＷＡＧが、ＵＥがモバイル・ネットワークにアクセスするためのＩＭＳＩ及びＭＳＩＳＤＮにしたがってＵＥがモバイル・ネットワークにアクセスすることを可能にする。
【０１３７】
例示的に、ＵＥは、ＤＨＣＰプロセスを開始する。
【０１３８】
ＴＷＡＧが、ＤＨＣＰサーバ（Ｓｅｒｖｅｒ）としてＧＴＰトンネルの確立をトリガすることは、つまり、ＴＷＡＧが、ＡＰＮにしたがってＧＧＳＮを選択し、ＧＧＳＮに対してＧＴＰトンネルの確立をトリガすることである。ＡＰＮとＧＧＳＮとの間の対応は、ＴＷＡＧで構成される。
【０１３９】
ＧＧＳＮは、ＩＰアドレスを割り振る。
【０１４０】
ＴＷＡＧは、ＩＰアドレスをＵＥに送信する。
【０１４１】
その後、ＴＷＡＧは、ＵＥのサービス・パケットを受信した後、ＩＰアドレスにしたがってサービス・パケットをＧＧＳＮに送信する。
【０１４２】
ＵＥのモバイル・ユーザ識別情報が、ＷＬＡＮ識別情報とモバイル・ユーザ識別情報との間の関連付けを通じて得られる可能性があり、その結果、モバイル・ネットワークが、ＵＥのモバイル・ユーザ識別情報によってアクセスされ、それによって、ＰＥＡＰ認証の下でのモバイル・ネットワークへのＵＥのアクセスを実施することが、技術的な解決策から分かる。
【０１４３】
図７に示されるように、上述の実施形態におけるモバイル・ネットワークにアクセスするための方法に対応して、本発明の一実施形態は、モバイル・ネットワークにアクセスするための装置を提供し、装置は、
ＵＥがＷＬＡＮにアクセスするためのユーザ識別情報を取得するよう構成された第１の取得ユニット７１と、
ＵＥがＷＬＡＮにアクセスするためのユーザ識別情報にしたがって、ＵＥがＷＬＡＮにアクセスするためのユーザ識別情報に関連付けられた、ＵＥがモバイル・ネットワークにアクセスするためのユーザ識別情報を取得するように構成された第２の取得ユニット７２と、
ＵＥがモバイル・ネットワークにアクセスすることを可能にするようＴＷＡＧに命じるために、ＵＥがモバイル・ネットワークにアクセスするためのユーザ識別情報をＴＷＡＧに送信するように構成された送信ユニット７３とを含む。
【０１４４】
本発明の実施形態におけるモバイル・ネットワークにアクセスするための装置は、ＡＡＡサーバ又はＡＡＡ  Ｐｒｏｘｙである可能性がある。ＴＷＡＧは、ＡＡＡ  Ｐｒｏｘｙとして働く可能性がある。任意で、モバイル・ネットワークにアクセスするための装置は、独立したネットワーク要素である可能性もある。
【０１４５】
本発明の実施形態におけるモバイル・ネットワークにアクセスするための装置において、第１の取得ユニットは、ＵＥがＷＬＡＮにアクセスするためのユーザ識別情報を取得する受信機である可能性がある。第２の取得ユニットは、ＵＥがＷＬＡＮにアクセスするためのユーザ識別情報に関連付けられた、ＵＥがモバイル・ネットワークにアクセスするためのユーザ識別情報を取得するプロセッサである可能性がある。送信ユニットは、ＵＥがモバイル・ネットワークにアクセスするためのユーザ識別情報をＴＷＡＧに送信する送信機である可能性がある。
【０１４６】
ＵＥがＷＬＡＮにアクセスするためのユーザ識別情報は、ユーザ名又はユーザ名及びパスワードを含む。ＵＥがＷＬＡＮにアクセスするためのユーザ名及びパスワード認証方法は、Ｐｏｒｔａｌ認証又はＰＥＡＰ認証である可能性がある。
【０１４７】
ＵＥがモバイル・ネットワークにアクセスするためのユーザ識別情報は、ＭＳＩＳＤＮ及びＩＭＳＩを含む。
【０１４８】
例示的に、第２の取得ユニット７２は、ユーザ名、ユーザ名とＭＳＩＳＤＮとの間の関連付け、及びユーザ名とＩＭＳＩとの間の関連付けにしたがって、ユーザ名に関連付けられたＭＳＩＳＤＮ及びＩＭＳＩを取得するように特に構成される可能性があり、ユーザ名とＭＳＩＳＤＮとの間の関連付け及びユーザ名とＩＭＳＩとの間の関係付けが、予め構成されるか、又は、
ユーザ名及びパスワード、ユーザ名及びパスワードとＭＳＩＳＤＮとの間の関連付け、並びにユーザ名及びパスワードとＩＭＳＩとの間の関連付けにしたがって、ユーザ名とパスワードとの両方に関連付けられたＭＳＩＳＤＮ及びＩＭＳＩを取得するよう特に構成される可能性があり、ユーザ名及びパスワードとＭＳＩＳＤＮとの間の関連付け、並びにユーザ名及びパスワードとＩＭＳＩとの間の関連付けが、予め構成される。
【０１４９】
或いは、第２の取得ユニット７２は、ユーザ名、及びユーザ名とＩＭＳＩとの間の関連付けにしたがって、ユーザ名に関連付けられたＩＭＳＩを取得し、ユーザ名に関連付けられたＩＭＳＩに関連付けられたＭＳＩＳＤＮを、ユーザ名に関連付けられたＩＭＳＩにしたがってホーム・ロケーション・レジスタＨＬＲ若しくはホーム加入者サーバＨＳＳから取得するよう特に構成される可能性があり、ユーザ名とＩＭＳＩとの間の関連付けが、予め構成されるか、又は、
ユーザ名及びパスワード、並びにユーザ名及びパスワードとＩＭＳＩとの間の関連付けにしたがって、ユーザ名とパスワードとの両方に関連付けられたＩＭＳＩを取得し、ユーザ名とパスワードとの両方に関連付けられたＩＭＳＩに関連付けられたＭＳＩＳＤＮを、ユーザ名とパスワードとの両方に関連付けられたＩＭＳＩにしたがってホーム・ロケーション・レジスタＨＬＲ若しくはホーム加入者サーバＨＳＳから取得するように特に構成される可能性があり、ユーザ名及びパスワードとＩＭＳＩとの間の関連付けが、予め構成される。
【０１５０】
或いは、第２の取得ユニット７２は、ユーザ名がＭＳＩＳＤＮであるとき、ＭＳＩＳＤＮにしたがってＨＬＲ又はＨＳＳからＭＳＩＳＤＮに関連付けられたＩＭＳＩを取得するよう特に構成される可能性がある。
【０１５１】
本発明の実施形態におけるモバイル・ネットワークにアクセスするための装置においては、例示的に、送信ユニット４３は、
アカウンティング応答メッセージを通じて、ＵＥがモバイル・ネットワークにアクセスするためのユーザ識別情報をＴＷＡＧに送信するか、又は
認証応答メッセージを通じて、ＵＥがモバイル・ネットワークにアクセスするためのユーザ識別情報をＴＷＡＧに送信するように構成される可能性がある。
【０１５２】
ユーザ名又はユーザ名及びパスワードは、ＡＰＮ又はＱｏＳ情報などのモバイル・ネットワークの加入データに関連付けられる可能性もある。本発明の実施形態におけるモバイル・ネットワークにアクセスするための装置においては、送信ユニット７３は、ＡＰＮをＴＷＡＧに送信するようさらに構成される可能性がある。
【０１５３】
例示的に、ＡＰＮをＴＷＡＧに送信することは、アカウンティング応答メッセージを通じてＡＰＮをＴＷＡＧに送信すること、又は認証応答メッセージを通じてＡＰＮをＴＷＡＧに送信することを含み得る。
【０１５４】
本発明の実施形態におけるモバイル・ネットワークにアクセスするための装置、並びにその構造及び動作メカニズムは、図１から図６に示されたモバイル・ネットワークにアクセスするための方法を対応して参照することによって理解される可能性があり、本明細書において改めて説明されない。
【０１５５】
ＵＥがＷＬＡＮにアクセスするためのユーザ識別情報に関連付けられた、ＵＥがモバイル・ネットワークにアクセスするためのユーザ識別情報が、ＵＥがＷＬＡＮにアクセスするためのユーザ識別情報にしたがって取得され、その結果、ＵＥがモバイル・ネットワークにアクセスするためのユーザ識別情報が認証される可能性があり、それによって、モバイル・ネットワークへのＵＥのアクセスを実施することが、本発明の実施形態によるモバイル・ネットワークにアクセスするための装置の技術的な解決策から分かる。
【０１５６】
図８に示されるように、上述の実施形態におけるモバイル・ネットワークにアクセスするための方法に対応して、本発明の一実施形態は、モバイル・ネットワークにアクセスするための装置を提供し、装置は、
ＵＥがＷＬＡＮにアクセスするためのユーザ識別情報に関連付けられた、ＵＥがモバイル・ネットワークにアクセスするためのユーザ識別情報を受信するよう構成された受信ユニット８１と、
ＵＥがモバイル・ネットワークにアクセスするためのユーザ識別情報にしたがってＵＥがモバイル・ネットワークにアクセスすることを可能にするよう構成されたアクセス・ユニット８２とを含む。
【０１５７】
本発明の実施形態におけるモバイル・ネットワークにアクセスするための装置は、ＴＷＡＧである可能性がある。ＴＷＡＧは、別に配置されるか、又はＴＷＡＧとＡＣ／Ｂｒａｓとは、１つのエンティティに配置される。
【０１５８】
本発明の実施形態におけるモバイル・ネットワークにアクセスするための装置において、受信ユニットは、ＵＥがモバイル・ネットワークにアクセスするためのユーザ識別情報を受信する受信機である可能性がある。アクセス・ユニットは、ＵＥがモバイル・ネットワークにアクセスするためのユーザ識別情報にしたがってＵＥがモバイル・ネットワークにアクセスすることを可能にするプロセッサである可能性がある。
【０１５９】
例示的に、ＵＥがＷＬＡＮにアクセスするためのユーザ識別情報は、ユーザ名又はユーザ名及びパスワードを含み得る。ＵＥがＷＬＡＮにアクセスするためのユーザ名及びパスワード認証方法は、Ｐｏｒｔａｌ認証又はＰＥＡＰ認証である可能性がある。
【０１６０】
ＵＥがモバイル・ネットワークにアクセスするためのユーザ識別情報は、ＭＳＩＳＤＮ及びＩＭＳＩを含み得る。
【０１６１】
アクセス・ユニット８２は、
ＵＥがＷＬＡＮにアクセスするためのローカルｌｏｃａｌ  ＩＰを取得することと、
ＵＥがモバイル・ネットワークにアクセスするためのＡＰＮにしたがって、モバイル・ネットワークにアクセスするためのＧＧＳＮを決定し、ＧＴＰトンネルを確立する要求をＧＧＳＮに送信することであって、要求が、ＵＥがモバイル・ネットワークにアクセスするためのユーザ識別情報を収容する、
決定し、送信することと、
ＧＧＳＮによって割り振られる、ＵＥがモバイル・ネットワークにアクセスするためのリモートｒｅｍｏｔｅ  ＩＰを取得することと、
ＵＥがモバイル・ネットワークにアクセスすることを可能にするために、ローカルＩＰとリモートＩＰとの間の対応を確立することとを行うように特に構成され得る。
【０１６２】
さらに、本発明の実施形態におけるモバイル・ネットワークにアクセスするための装置は、
サービス・パケットを受信し、サービス・パケットに対してローカルＩＰとリモートＩＰとの間のネットワーク・アドレス変換ＮＡＴを実行するように構成されたＮＡＴユニットをさらに含み得る。
【０１６３】
或いは、アクセス・ユニット８２は、
ＵＥによって開始された動的ホスト構成プロトコルＤＨＣＰ要求を受信することと、
ＵＥがモバイル・ネットワークにアクセスするためのＡＰＮにしたがって、モバイル・ネットワークにアクセスするためのＧＧＳＮを決定し、ＧＴＰトンネルを確立する要求をＧＧＳＮに送信することであって、要求が、ＵＥがモバイル・ネットワークにアクセスするためのユーザ識別情報を収容する、
決定し、送信することと、
ＧＧＳＮによって割り振られる、ＵＥがモバイル・ネットワークにアクセスするためのＩＰを取得することとを行うように特に構成され得る。
【０１６４】
本発明の実施形態におけるモバイル・ネットワークにアクセスするための装置は、
ＵＥがモバイル・ネットワークにアクセスするためのＡＰＮをローカルで設定するように構成された設定ユニット８３をさらに含み得る。
【０１６５】
或いは、受信ユニット８１は、実際にＡＡＡサーバ又はＡＡＡ  Ｐｒｏｘｙによって送信される、ＵＥがモバイル・ネットワークにアクセスするためのＡＰＮを受信するようにさらに構成され得る。
【０１６６】
本発明の実施形態におけるモバイル・ネットワークにアクセスするための装置並びにその装置の構造及び動作メカニズムは、図１から図６に示されたモバイル・ネットワークにアクセスするための方法を対応して参照することによって理解される可能性があり、本明細書において改めて説明されない。
【０１６７】
ＵＥがＷＬＡＮにアクセスするためのユーザ識別情報に関連付けられた、ＵＥがモバイル・ネットワークにアクセスするためのユーザ識別情報が、ＵＥがＷＬＡＮにアクセスするためのユーザ識別情報にしたがって取得され、その結果、ＵＥがモバイル・ネットワークにアクセスするためのユーザ識別情報が認証される可能性があり、それによって、モバイル・ネットワークへのＵＥのアクセスを実施することが、本発明の実施形態によるモバイル・ネットワークにアクセスするための装置の技術的な解決策から分かる。
【０１６８】
図９に示されるように、本発明の一実施形態は、モバイル・ネットワークにアクセスするためのシステムを提供し、システムは、
ユーザ機器ＵＥが無線ローカル・エリア・ネットワークＷＬＡＮにアクセスするためのユーザ識別情報を取得し、ＵＥがＷＬＡＮにアクセスするためのユーザ識別情報にしたがって、ＵＥがＷＬＡＮにアクセスするためのユーザ識別情報に関連付けられた、ＵＥがモバイル・ネットワークにアクセスするためのユーザ識別情報を取得し、ＵＥがモバイル・ネットワークにアクセスすることを可能にするように信頼できる無線アクセス・ゲートウェイＴＷＡＧに命じるために、ＵＥがモバイル・ネットワークにアクセスするためのユーザ識別情報をＴＷＡＧに送信するように構成されたモバイル・ネットワークにアクセスするための第１の装置９１と、
ＵＥがＷＬＡＮにアクセスするためのユーザ識別情報に関連付けられた、ＵＥがモバイル・ネットワークにアクセスするためのユーザ識別情報を受信し、ＵＥがモバイル・ネットワークにアクセスするためのユーザ識別情報にしたがってＵＥがモバイル・ネットワークにアクセスすることを可能にするように構成されたモバイル・ネットワークにアクセスするための第２の装置９２とを含む。
【０１６９】
ＵＥがＷＬＡＮにアクセスするためのユーザ識別情報に関連付けられた、ＵＥがモバイル・ネットワークにアクセスするためのユーザ識別情報が、ＵＥがＷＬＡＮにアクセスするためのユーザ識別情報にしたがって取得され、その結果、ＵＥがモバイル・ネットワークにアクセスするためのユーザ識別情報が認証される可能性があり、それによって、モバイル・ネットワークへのＵＥのアクセスを実施することが、本発明の実施形態によるモバイル・ネットワークにアクセスするための装置の技術的な解決策から分かる。
【０１７０】
本発明の実施形態におけるモバイル・ネットワークにアクセスするための第１の装置及びその第１の装置の構造は、図７に示された上述の実施形態におけるモバイル・ネットワークにアクセスするための装置を対応して参照することによって理解される可能性があり、本明細書において改めて説明されない。
【０１７１】
モバイル・ネットワークにアクセスするための第２の装置及びその第２の装置の構造は、図８に示された上述の実施形態におけるモバイル・ネットワークにアクセスするための装置を対応して参照することによって理解される可能性があり、本明細書において改めて説明されない。
【０１７２】
例示的に、図１０は、本発明の一実施形態によるモバイル・ネットワークにアクセスするためのシステムの応用シナリオの概略図である。
【０１７３】
ＴＷＡＧは、ＷＬＡＮネットワークの一部であり、ＴＷＡＧ、及びＷＬＡＮネットワークの既存のＡＣ／Ｂｒａｓは、同じ物理的なデバイスに配置される可能性がある。
【０１７４】
ＵＥ１０１が、ＷＬＡＮネットワーク１０２にアクセスし、ＴＷＡＧ、及びＷＬＡＮネットワークの既存のＡＣ／Ｂｒａｓが、同じ物理的なデバイスに配置される可能性があり、ＧＴＰ又はＰＭＩＰｖ６（Ｐｒｏｘｙ  ＭＩＰｖ６、プロキシ・モバイルＩＰｖ６）能力が、ＡＣ／Ｂｒａｓに組み込まれる可能性がある。ＴＷＡＧ１０３が、ＧＧＳＮ又はＰ−ＧＷ（Ｐａｃｋｅｔ−Ｇａｔｅｗａｙ、パケット・データ・ゲートウェイ）１０４とのＩＰ接続を確立する役割を担う。ＴＷＡＧは、ＡＡＡサーバ１０５とも通信し、ＡＡＡサーバ１０５は、ＨＬＲ／ＨＳＳ１０６と通信する。
【０１７５】
例示的に、図１１は、本発明の一実施形態によるモバイル・ネットワークにアクセスするためのシステムの別の応用シナリオの概略図である。
【０１７６】
ＴＷＡＧは、別の機能エンティティとして働き、ＴＷＡＧ及びＡＣ／Ｂｒａｓは、別々に配置され、ＡＣ／Ｂｒａｓは、ＴＷＡＧを通じてＡＡＡと通信する。
【０１７７】
ＵＥ１１１が、ＷＬＡＮネットワーク１１２にアクセスし、ＴＷＡＧ１１３及びＡＣ／Ｂｒａｓ１１４が、別々に配置され、ＴＷＡＧ１１３が、ＧＧＳＮ又はＰＧＷ１１５とのＩＰ接続を確立する役割を担う。別のＴＷＡＧは、ＧＴＰ又はＰＭＩＰｖ６能力を実装し、ＴＷＡＧ及び既存のＷＬＡＮネットワークは、レイヤ２  ＶＬＡＮ（Ｖｉｒｔｕａｌ  Ｌｏｃａｌ  Ａｒｅａ  Ｎｅｔｗｏｒｋ、仮想ローカル・エリア・ネットワーク）又はレイヤ３  ＶＰＮ（Ｖｉｒｔｕａｌ  Ｐｒｉｖａｔｅ  Ｎｅｔｗｏｒｋ、仮想プライベート・ネットワーク）トンネルを通じて接続される。ＴＷＡＧ１１３は、ＡＡＡサーバ１１６とも通信し、ＡＡＡサーバ１１６は、ＨＬＲ／ＨＳＳ１１７と通信する。
【０１７８】
当業者は、上述の実施形態における方法の手順のすべて又は一部が、関連付けられたハードウェアに命令するコンピュータ・プログラムによって実現される可能性があることを理解し得る。プログラムは、コンピュータ可読ストレージ媒体に記憶される可能性がある。プログラムが実行されるときに、上述の実施形態における方法の手順が実行される。ストレージ媒体は、磁気ディスク、光ディスク、読み出し専用メモリ（Ｒｅａｄ−Ｏｎｌｙ  Ｍｅｍｏｒｙ、ＲＯＭ）、又はランダム・アクセス・メモリ（Ｒａｎｄｏｍ  Ａｃｃｅｓｓ  Ｍｅｍｏｒｙ、ＲＡＭ）などである可能性がある。
【図１】
2015525992.tif 000005
【図２】
2015525992.tif 000006
【図３】
2015525992.tif 000007
【図４】
2015525992.tif 000008
【図５】
2015525992.tif 000009
【図６】
2015525992.tif 000010
【図７】
2015525992.tif 000011
【図８】
2015525992.tif 000012
【図９】
2015525992.tif 000013
【図１０】
2015525992.tif 000014
【図１１】
2015525992.tif 000015
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）が無線ローカル・エリア・ネットワーク（ＷＬＡＮ）にアクセスするためのユーザ識別情報を取得するステップと、
前記ＵＥが前記ＷＬＡＮにアクセスするための前記ユーザ識別情報にしたがって、前記ＵＥが前記ＷＬＡＮにアクセスするための前記ユーザ識別情報に関連付けられた、前記ＵＥがモバイル・ネットワークにアクセスするためのユーザ識別情報を取得するステップと、
前記ＵＥが前記モバイル・ネットワークにアクセスすることを可能にするように信頼できる無線アクセス・ゲートウェイ（ＴＷＡＧ）に命じるために、前記ＵＥが前記モバイル・ネットワークにアクセスするための前記ユーザ識別情報を前記ＴＷＡＧに送信するステップとを含む、モバイル・ネットワークにアクセスするための方法。
【請求項２】
前記ＵＥが前記ＷＬＡＮにアクセスするための前記ユーザ識別情報が、ユーザ名又はユーザ名及びパスワードを含み、前記ＵＥが前記モバイル・ネットワークにアクセスするための前記ユーザ識別情報が、移動局識別番号（ＭＳＩＳＤＮ）及び国際移動体加入者識別番号（ＩＭＳＩ）を含む、請求項１に記載のモバイル・ネットワークにアクセスするための方法。
【請求項３】
前記ＵＥが前記ＷＬＡＮにアクセスするための前記ユーザ識別情報にしたがって、前記ＵＥが前記ＷＬＡＮにアクセスするための前記ユーザ識別情報に関連付けられた、前記ＵＥがモバイル・ネットワークにアクセスするためのユーザ識別情報を取得する前記ステップが、
前記ユーザ名、前記ユーザ名とＭＳＩＳＤＮとの間の関連付け、及び前記ユーザ名とＩＭＳＩとの間の関連付けにしたがって前記ユーザ名に関連付けられた前記ＭＳＩＳＤＮ及び前記ＩＭＳＩを取得するステップであって、前記ユーザ名と前記ＭＳＩＳＤＮとの間の前記関連付け、及び前記ユーザ名と前記ＩＭＳＩとの間の前記関連付けが、予め構成されるステップ、又は
前記ユーザ名及び前記パスワード、前記ユーザ名と、前記パスワードと、ＭＳＩＳＤＮとの間の関連付け、並びに前記ユーザ名及び前記パスワードとＩＭＳＩとの間の関連付けにしたがって前記ユーザ名と前記パスワードとの両方に関連付けられた前記ＭＳＩＳＤＮ及び前記ＩＭＳＩを取得するステップであって、前記ユーザ名及び前記パスワードと前記ＭＳＩＳＤＮとの間の前記関連付け、並びに前記ユーザ名及び前記パスワードと前記ＩＭＳＩとの間の前記関連付けが、予め構成されるステップを含む、請求項２に記載のモバイル・ネットワークにアクセスするための方法。
【請求項４】
前記ＵＥが前記モバイル・ネットワークにアクセスするための前記ユーザ識別情報をＴＷＡＧに送信するステップが、
アカウンティング応答メッセージを通じて、前記ＵＥが前記モバイル・ネットワークにアクセスするための前記ユーザ識別情報を前記ＴＷＡＧに送信するステップ、又は
認証応答メッセージを通じて、前記ＵＥが前記モバイル・ネットワークにアクセスするための前記ユーザ識別情報を前記ＴＷＡＧに送信するステップを含む、請求項１から３のいずれか一項に記載のモバイル・ネットワークにアクセスするための方法。
【請求項５】
ユーザ機器（ＵＥ）が無線ローカル・エリア・ネットワーク（ＷＬＡＮ）にアクセスするためのユーザ識別情報を取得するように構成された第１の取得ユニットと、
前記ＵＥが前記ＷＬＡＮにアクセスするための前記ユーザ識別情報にしたがって、前記ＵＥが前記ＷＬＡＮにアクセスするための前記ユーザ識別情報に関連付けられた、前記ＵＥがモバイル・ネットワークにアクセスするためのユーザ識別情報を取得するように構成された第２の取得ユニットであって、前記ＵＥが前記モバイル・ネットワークにアクセスするための前記ユーザ識別情報が、前記ＵＥが前記モバイル・ネットワークにアクセスするために使用される、第２の取得ユニットと、
前記ＵＥが前記モバイル・ネットワークにアクセスすることを可能にするように信頼できる無線アクセス・ゲートウェイ（ＴＷＡＧ）に命じるために、前記ＵＥが前記モバイル・ネットワークにアクセスするための前記ユーザ識別情報を前記ＴＷＡＧに送信するように構成された送信ユニットとを含む、モバイル・ネットワークにアクセスするための装置。
【請求項６】
前記ＵＥが前記ＷＬＡＮにアクセスするための前記ユーザ識別情報が、ユーザ名又はユーザ名及びパスワードを含み、前記ＵＥが前記モバイル・ネットワークにアクセスするための前記ユーザ識別情報が、ＭＳＩＳＤＮ及びＩＭＳＩを含む、請求項５に記載のモバイル・ネットワークにアクセスするための装置。
【請求項７】
前記第２の取得ユニットが、前記ユーザ名、前記ユーザ名とＭＳＩＳＤＮとの間の関連付け、及び前記ユーザ名とＩＭＳＩとの間の関連付けにしたがって前記ユーザ名に関連付けられた前記ＭＳＩＳＤＮ及び前記ＩＭＳＩを取得するよう構成され、前記ユーザ名と前記ＭＳＩＳＤＮとの間の前記関連付け、及び前記ユーザ名と前記ＩＭＳＩとの間の前記関連付けが、予め構成されるか、又は
前記第２の取得ユニットが、前記ユーザ名及び前記パスワード、前記ユーザ名及び前記パスワードとＭＳＩＳＤＮとの間の関連付け、並びに前記ユーザ名及び前記パスワードとＩＭＳＩとの間の関連付けにしたがって、前記ユーザ名と前記パスワードとの両方に関連付けられた前記ＭＳＩＳＤＮ及び前記ＩＭＳＩを取得するよう構成され、前記ユーザ名及び前記パスワードと前記ＭＳＩＳＤＮとの間の前記関連付け、並びに前記ユーザ名及び前記パスワードと前記ＩＭＳＩとの間の前記関連付けが、予め構成される、請求項６に記載のモバイル・ネットワークにアクセスするための装置。
【請求項８】
前記送信ユニットが、アカウンティング応答メッセージを通じて、前記ＵＥが前記モバイル・ネットワークにアクセスするための前記ユーザ識別情報を前記ＴＷＡＧに送信するか、又は認証応答メッセージを通じて、前記ＵＥが前記モバイル・ネットワークにアクセスするための前記ユーザ識別情報を前記ＴＷＡＧに送信するよう構成される、請求項５から７のいずれか一項に記載のモバイル・ネットワークにアクセスするための装置。
【請求項９】
認証、認可、及びアカウンティングＡＡＡサーバに配置されるか、又はＡＡＡプロキシに配置される、請求項５から７のいずれか一項に記載のモバイル・ネットワークにアクセスするための装置。
【請求項１０】
前記ＡＡＡプロキシが、前記ＴＷＡＧに配置される請求項９に記載のモバイル・ネットワークにアクセスするための装置。
【請求項１１】
ユーザ機器（ＵＥ）が無線ローカル・エリア・ネットワーク（ＷＬＡＮ）にアクセスするためのユーザ識別情報に関連付けられた、前記ＵＥがモバイル・ネットワークにアクセスするためのユーザ識別情報を受信するステップと、
前記ＵＥが前記モバイル・ネットワークにアクセスするための前記ユーザ識別情報にしたがって前記ＵＥが前記モバイル・ネットワークにアクセスすることを可能にするステップとを含む、モバイル・ネットワークにアクセスするための方法。
【請求項１２】
前記ＵＥが前記モバイル・ネットワークにアクセスするための前記ユーザ識別情報にしたがって前記ＵＥが前記モバイル・ネットワークにアクセスすることを可能にする前記ステップが、
前記ＵＥが前記ＷＬＡＮにアクセスするためのローカルｌｏｃａｌ  ＩＰを取得するステップと、
アクセス・ポイント名（ＡＰＮ）にしたがって、前記モバイル・ネットワークにアクセスするためのゲートウェイＧＰＲＳサポート・ノード（ＧＧＳＮ）を決定し、ＧＰＲＳトンネル・プロトコル（ＧＴＰ）トンネルを確立する要求を前記ＧＧＳＮに送信するステップであって、前記要求が、前記ＵＥが前記モバイル・ネットワークにアクセスするための前記ユーザ識別情報を運び、前記ＵＥが前記モバイル・ネットワークにアクセスするための前記ユーザ識別情報が、ＭＳＩＳＤＮ及びＩＭＳＩを含む、決定し、送信するステップと、
前記ＧＧＳＮによって割り振られる、前記ＵＥが前記モバイル・ネットワークにアクセスするためのリモートＩＰを取得するステップと、
前記ＵＥが前記モバイル・ネットワークにアクセスすることを可能にするために、前記ローカルＩＰと前記リモートＩＰとの間の対応を確立するステップとを含む、請求項１１に記載のモバイル・ネットワークにアクセスするための方法。
【請求項１３】
サービス・パケットを受信し、前記サービス・パケットに対してローカルＩＰとリモートＩＰとの間のネットワーク・アドレス変換ＮＡＴを実行するステップをさらに含む、請求項１２に記載のモバイル・ネットワークにアクセスするための方法。
【請求項１４】
前記ＵＥが前記モバイル・ネットワークにアクセスするための前記ユーザ識別情報にしたがって前記ＵＥが前記モバイル・ネットワークにアクセスすることを可能にする前記ステップが、
前記ＵＥによって開始された動的ホスト構成プロトコル（ＤＨＣＰ）要求を受信するステップと、
ＡＰＮにしたがって、前記モバイル・ネットワークにアクセスするためのＧＧＳＮを決定し、ＧＴＰトンネルを確立する要求を前記ＧＧＳＮに送信するステップであって、前記要求が、前記ＵＥが前記モバイル・ネットワークにアクセスするための前記ユーザ識別情報を運び、前記ＵＥが前記モバイル・ネットワークにアクセスするための前記ユーザ識別情報が、ＭＳＩＳＤＮ及びＩＭＳＩを含む、決定し、送信するステップと、
前記ＵＥが前記モバイル・ネットワークにアクセスすることを可能にするために、前記ＧＧＳＮによって割り振られる、前記ＵＥが前記モバイル・ネットワークにアクセスするためのＩＰを取得し、前記ＩＰを前記ＵＥに送信するステップとを含む、請求項１１に記載のモバイル・ネットワークにアクセスするための方法。
【請求項１５】
前記ＵＥが前記モバイル・ネットワークにアクセスするためのＡＰＮをローカルで設定するステップ、又は
ＡＡＡサーバ若しくはＡＡＡ  Ｐｒｏｘｙによって送信される、前記ＵＥが前記モバイル・ネットワークにアクセスするためのＡＰＮを受信するステップをさらに含む、請求項１２又は１４に記載のモバイル・ネットワークにアクセスするための方法。
【請求項１６】
ユーザ機器（ＵＥ）が無線ローカル・エリア・ネットワーク（ＷＬＡＮ）にアクセスするためのユーザ識別情報に関連付けられた、前記ＵＥがモバイル・ネットワークにアクセスするためのユーザ識別情報を受信するように構成された受信ユニットと、
前記ＵＥが前記モバイル・ネットワークにアクセスするための前記ユーザ識別情報にしたがって前記ＵＥが前記モバイル・ネットワークにアクセスすることを可能にするように構成されたアクセス・ユニットとを含む、モバイル・ネットワークにアクセスするための装置。
【請求項１７】
前記アクセス・ユニットが、
前記ＵＥが前記ＷＬＡＮにアクセスするためのローカルｌｏｃａｌ  ＩＰを取得することと、
アクセス・ポイント名（ＡＰＮ）にしたがって、前記モバイル・ネットワークにアクセスするためのゲートウェイＧＰＲＳサポート・ノード（ＧＧＳＮ）を決定し、ＧＰＲＳトンネル・プロトコル（ＧＴＰ）トンネルを確立する要求を前記ＧＧＳＮに送信することであって、前記要求が、前記ＵＥが前記モバイル・ネットワークにアクセスするための前記ユーザ識別情報を運び、前記ＵＥが前記モバイル・ネットワークにアクセスするための前記ユーザ識別情報が、ＭＳＩＳＤＮ及びＩＭＳＩを含む、決定し、送信することと、
前記ＧＧＳＮによって割り振られる、前記ＵＥが前記モバイル・ネットワークにアクセスするためのリモートｒｅｍｏｔｅ  ＩＰを取得することと、
前記ＵＥが前記モバイル・ネットワークにアクセスすることを可能にするために、前記ローカルＩＰと前記リモートＩＰとの間の対応を確立し、決定することとを行うように特に構成される、請求項１６に記載のモバイル・ネットワークにアクセスするための装置。
【請求項１８】
サービス・パケットを受信し、前記サービス・パケットに対してローカルＩＰとリモートＩＰとの間のネットワーク・アドレス変換ＮＡＴを実行するように構成されたＮＡＴユニットをさらに含む、請求項１７に記載のモバイル・ネットワークにアクセスするための装置。
【請求項１９】
前記アクセス・ユニットが、
前記ＵＥによって開始された動的ホスト構成プロトコルＤＨＣＰ要求を受信することと、
ＡＰＮにしたがって、前記モバイル・ネットワークにアクセスするためのＧＧＳＮを決定し、ＧＴＰトンネルを確立する要求を前記ＧＧＳＮに送信することであって、前記要求が、前記ＵＥが前記モバイル・ネットワークにアクセスするための前記ユーザ識別情報を運び、前記ＵＥが前記モバイル・ネットワークにアクセスするための前記ユーザ識別情報が、ＭＳＩＳＤＮ及びＩＭＳＩを含む、決定し、送信することと、
前記ＵＥが前記モバイル・ネットワークにアクセスすることを可能にするために、前記ＧＧＳＮによって割り振られる、前記ＵＥが前記モバイル・ネットワークにアクセスするためのＩＰを取得し、前記ＩＰを前記ＵＥに送信することとを行うよう構成される、請求項１８に記載のモバイル・ネットワークにアクセスするための装置。
【請求項２０】
前記ＵＥが前記モバイル・ネットワークにアクセスするためのＡＰＮをローカルで設定するように構成された設定ユニットをさらに含み、
前記受信ユニットが、実際にＡＡＡサーバ又はＡＡＡ  Ｐｒｏｘｙによって送信される、前記ＵＥが前記モバイル・ネットワークにアクセスするためのＡＰＮを受信するようにさらに構成される、請求項１７から１９のいずれか一項に記載のモバイル・ネットワークにアクセスするための装置。
【請求項２１】
ＴＷＡＧに配置される、請求項１６から２０のいずれか一項に記載のモバイル・ネットワークにアクセスするための装置。
【請求項２２】
請求項１から４、及び請求項１１から１５のいずれか一項に記載のステップをコンピュータに実行させるプログラム。
【国際調査報告】
2015525992.tif 000016
2015525992.tif 000017
2015525992.tif 000018
2015525992.tif 000019